(57)【要約】  対となるＤＬ−ＣＣが存在しないＵＬ−ＣＣonlyを精度よく制御するために、複数の不連続な周波数帯域を利用して、基地局（１２）および通信端末（１１）が無線通信を行う無線通信システムの制御方法は、ＵＬ−ＣＣonlyが存在する場合（Ｓ２１）、ＵＬ−ＣＣonlyに対応するＤＬ−ＣＣの通信品質として、ＵＬ−ＣＣonlyが含まれる周波数帯域におけるＤＬ−ＣＣの通信品質を測定する（Ｓ２２）。
2012074113.tif 000002
【特許請求の範囲】
【請求項１】
複数の周波数帯域を利用して、基地局と通信端末とが無線通信を行う無線通信システムであって、
前記複数の周波数帯域のそれぞれは、前記基地局から前記通信端末へのダウンリンク伝送に利用される周波数帯域であるダウンリンク用小帯域と、前記通信端末から前記基地局へのアップリンク伝送に利用される周波数帯域であるアップリンク用小帯域とを含んでおり、
前記基地局は、前記複数の周波数帯域の中から、前記ダウンリンク用小帯域および前記アップリンク用小帯域を前記通信端末に割り当てる帯域割当手段を備えており、
前記通信端末は、前記基地局の帯域割当手段が割り当てた割当済のダウンリンク用小帯域の通信品質を測定する品質測定手段を備えており、
前記基地局は、前記通信端末の品質測定手段が測定した割当済のダウンリンク用小帯域の通信品質に基づいて、当該割当済のダウンリンク用小帯域に対応する、前記基地局の帯域割当手段が割り当てた割当済のアップリンク用小帯域の通信制御を決定する通信制御決定手段を備えており、
前記通信端末は、前記基地局の通信制御決定手段が決定した前記割当済のアップリンク用小帯域の通信制御に基づいて、当該割当済のアップリンク用小帯域での前記アップリンク伝送を制御する通信制御手段を備えており、
前記基地局の帯域割当手段が、前記通信端末に対し、前記アップリンク用小帯域を割り当てているが、前記ダウンリンク用小帯域を割り当てていない前記周波数帯域が存在する場合、
前記通信端末の品質測定手段は、当該周波数帯域における非割当の前記ダウンリンク用小帯域の通信品質を、監視用の前記ダウンリンク用小帯域としてさらに測定しており、
前記基地局の通信制御決定手段は、前記通信端末の品質測定手段が測定した監視用のダウンリンク用小帯域の通信品質に基づいて、当該周波数帯域における割当済のアップリンク用小帯域であるオンリー状態のアップリンク用小帯域の通信制御を決定することを特徴とする無線通信システム。
【請求項２】
前記通信端末の品質測定手段が測定する前記監視用のダウンリンク用小帯域は、前記基地局の帯域割当手段が決定することを特徴とする請求項１に記載の無線通信システム。
【請求項３】
前記通信端末の通信制御手段は、前記監視用のダウンリンク用小帯域の物理レイヤーでの同期を維持することを特徴とする請求項１に記載の無線通信システム。
【請求項４】
前記通信端末の品質測定手段は、さらに、前記基地局とは別の基地局によるダウンリンク用小帯域の通信品質を測定しており、
前記基地局の通信制御決定手段は、前記通信端末の品質測定手段が測定した、前記基地局および前記別の基地局によるダウンリンク用小帯域の通信品質どうしの比較に基づいて、前記ダウンリンク用小帯域に対応する前記アップリンク用小帯域のハンドオーバを行うかを決定することを特徴とする請求項１から３までの何れか１項に記載の無線通信システム。
【請求項５】
前記比較は、前記通信端末の品質測定手段が行うことを特徴とする請求項４に記載の無線通信システム。
【請求項６】
前記通信端末の品質測定手段は、前記比較の結果を、前記割当済のダウンリンク用小帯域に関するものと、前記監視用のダウンリンク用小帯域に関するものとに区別して前記基地局に通知することを特徴とする請求項５に記載の無線通信システム。
【請求項７】
前記比較は、前記基地局によるダウンリンク用小帯域の通信品質の値に所定の閾値を加算したものと、前記別の基地局によるダウンリンク用小帯域の通信品質の値とを比較するものであり、
前記所定の閾値は、前記割当済のダウンリンク用小帯域に関するものと、前記監視用のダウンリンク用小帯域に関するものとが異なることを特徴とする請求項４から６までの何れか１項に記載の無線通信システム。
【請求項８】
複数の周波数帯域を利用して、基地局と通信端末とが無線通信を行う無線通信システムであって、
前記複数の周波数帯域のそれぞれは、前記基地局から前記通信端末へのダウンリンク伝送に利用される周波数帯域であるダウンリンク用小帯域と、前記通信端末から前記基地局へのアップリンク伝送に利用される周波数帯域であるアップリンク用小帯域とを含んでおり、
前記基地局は、前記複数の周波数帯域の中から、前記ダウンリンク用小帯域および前記アップリンク用小帯域を前記通信端末に割り当てる帯域割当手段を備えており、
前記通信端末は、前記基地局の帯域割当手段が割り当てた割当済のダウンリンク用小帯域の通信品質を測定する品質測定手段を備えており、
前記基地局は、前記通信端末の品質測定手段が測定した割当済のダウンリンク用小帯域の通信品質に基づいて、当該割当済のダウンリンク用小帯域とに対応する、前記基地局の帯域割当手段が割り当てた割当済のアップリンク用小帯域の通信制御を決定する通信制御決定手段を備えており、
前記通信端末は、前記基地局の通信制御決定手段が決定した前記割当済のアップリンク用小帯域の通信制御に基づいて、当該割当済のアップリンク用小帯域での前記アップリンク伝送を制御する通信制御手段を備えており、
前記基地局は、前記アップリンク用小帯域の受信電力を測定し、測定した受信電力により、当該アップリンク用小帯域の通信品質を求める品質測定手段を備えており、
前記基地局の帯域割当手段が、前記通信端末に対し、前記アップリンク用小帯域を割り当てているが、前記ダウンリンク用小帯域を割り当てていない前記周波数帯域が存在する場合、
前記基地局の通信制御決定手段は、当該周波数帯域における割当済の前記アップリンク用小帯域であるオンリー状態のアップリンク用小帯域について、前記品質測定手段が求めた通信品質に基づいて、前記オンリー状態のアップリンク用小帯域の通信制御を決定することを特徴とする無線通信システム。
【請求項９】
前記通信端末の品質測定手段は、さらに、前記基地局とは別の基地局によるダウンリンク用小帯域の通信品質を測定しており、
前記基地局の通信制御決定手段は、前記品質測定手段が求めたオンリー状態のアップリンク用小帯域の通信品質と、前記通信端末の品質測定手段が測定した、前記別の基地局によるダウンリンク用小帯域の通信品質との比較に基づいて、当該オンリー状態のアップリンク用小帯域のハンドオーバを行うかを決定することを特徴とする請求項８に記載の無線通信システム。
【請求項１０】
前記通信端末は、前記アップリンク用小帯域の送信電力を取得する送信電力取得手段をさらに備えており、
前記基地局の品質測定手段は、前記オンリー状態のアップリンク用小帯域に関して、測定した受信電力と、前記通信端末の送信電力取得手段が取得した送信電力とにより、前記通信品質を求めることを特徴とする請求項８または９に記載の無線通信システム。
【請求項１１】
複数の周波数帯域を利用して、基地局と通信端末とが無線通信を行う無線通信システムであって、
前記複数の周波数帯域のそれぞれは、前記基地局から前記通信端末へのダウンリンク伝送に利用される周波数帯域であるダウンリンク用小帯域と、前記通信端末から前記基地局へのアップリンク伝送に利用される周波数帯域であるアップリンク用小帯域とを含んでおり、
前記基地局は、前記複数の周波数帯域の中から、前記ダウンリンク用小帯域および前記アップリンク用小帯域を前記通信端末に割り当てる帯域割当手段を備えており、
前記通信端末は、前記基地局の帯域割当手段が割り当てた割当済のダウンリンク用小帯域の通信品質を測定する品質測定手段を備えており、
前記基地局は、前記通信端末の品質測定手段が測定した割当済のダウンリンク用小帯域の通信品質に基づいて、当該割当済のダウンリンク用小帯域とに対応する、前記基地局の帯域割当手段が割り当てた割当済のアップリンク用小帯域の通信制御を決定する通信制御決定手段を備えており、
前記通信端末は、前記基地局の通信制御決定手段が決定した前記割当済のアップリンク用小帯域の通信制御に基づいて、当該割当済のアップリンク用小帯域での前記アップリンク伝送を制御する通信制御手段を備えており、
前記基地局の帯域割当手段が、前記通信端末に対し、前記アップリンク用小帯域を割り当てる必要があるが、前記ダウンリンク用小帯域を割り当てる必要がない前記周波数帯域が存在する場合、
前記基地局の帯域割当手段は、当該周波数帯域における前記ダウンリンク用小帯域を、前記通信品質を測定するためのダウンリンク用小帯域として、前記通信端末に割り当てることを特徴とする無線通信システム。
【請求項１２】
前記基地局の帯域割当手段は、前記通信端末の品質測定手段が測定した前記ダウンリンク用小帯域の通信品質の値の大きい順に、該ダウンリンク用小帯域に対応する前記アップリンク用小帯域を前記通信端末に割り当てることを特徴とする請求項１から１１までの何れか１項に記載の無線通信システム。
【請求項１３】
請求項１から１２までの何れか１項に記載の無線通信システムにて利用される基地局。
【請求項１４】
請求項１から１２までの何れか１項に記載の無線通信システムにて利用される通信端末。
【請求項１５】
請求項１から１２までの何れか１項に記載の無線通信システムを動作させる制御プログラムであって、コンピュータを上記の各手段として機能させるための制御プログラム。
【請求項１６】
請求項１５に記載の制御プログラムが記録されたコンピュータ読取り可能な記録媒体。
【請求項１７】
複数の周波数帯域を利用して、基地局と通信端末とが無線通信を行う無線通信システムであって、前記複数の周波数帯域のそれぞれは、前記基地局から前記通信端末へのダウンリンク伝送に利用される周波数帯域であるダウンリンク用小帯域と、前記通信端末から前記基地局へのアップリンク伝送に利用される周波数帯域であるアップリンク用小帯域とを含む無線通信システムの制御方法であって、
前記基地局は、前記複数の周波数帯域の中から、前記ダウンリンク用小帯域および前記アップリンク用小帯域を前記通信端末に割り当てる帯域割当ステップと、
前記通信端末は、該帯域割当ステップにて割り当てられた割当済のダウンリンク用小帯域の通信品質を測定する品質測定ステップと、
前記基地局は、該品質測定ステップにて測定された割当済のダウンリンク用小帯域の通信品質に基づいて、当該割当済のダウンリンク用小帯域に対応する、前記帯域割当ステップにて割り当てられた割当済のアップリンク用小帯域の通信制御を決定する通信制御決定ステップと、
前記通信端末は、前記通信制御決定ステップにて決定された前記割当済のアップリンク用小帯域の通信制御に基づいて、当該割当済のアップリンク用小帯域での前記アップリンク伝送を制御する通信制御ステップとを含んでおり、
前記帯域割当ステップにおいて、前記通信端末に対し、前記アップリンク用小帯域が割り当てられているが、前記ダウンリンク用小帯域が割り当てられていない前記周波数帯域が存在する場合、
前記品質測定ステップは、当該周波数帯域における非割当の前記ダウンリンク用小帯域の通信品質を、監視用の前記ダウンリンク用小帯域としてさらに測定しており、
前記通信制御決定ステップは、前記品質測定ステップにて測定された監視用のダウンリンク用小帯域の通信品質に基づいて、当該周波数帯域における割当済のアップリンク用小帯域であるオンリー状態のアップリンク用小帯域の通信制御を決定することを特徴とする無線通信システムの制御方法。
【請求項１８】
複数の周波数帯域を利用して、基地局と通信端末とが無線通信を行う無線通信システムであって、前記複数の周波数帯域のそれぞれは、前記基地局から前記通信端末へのダウンリンク伝送に利用される周波数帯域であるダウンリンク用小帯域と、前記通信端末から前記基地局へのアップリンク伝送に利用される周波数帯域であるアップリンク用小帯域とを含む無線通信システムの制御方法であって、
前記基地局は、前記複数の周波数帯域の中から、前記ダウンリンク用小帯域および前記アップリンク用小帯域を前記通信端末に割り当てる帯域割当ステップと、
前記通信端末は、該帯域割当ステップにて割り当てられた割当済のダウンリンク用小帯域の通信品質を測定する品質測定ステップと、
前記基地局は、該品質測定ステップにて測定された割当済のダウンリンク用小帯域の通信品質に基づいて、当該割当済のダウンリンク用小帯域に対応する、前記帯域割当ステップにて割り当てられた割当済のアップリンク用小帯域の通信制御を決定する通信制御決定ステップと、
前記通信端末は、前記通信制御決定ステップにて決定された前記割当済のアップリンク用小帯域の通信制御に基づいて、当該割当済のアップリンク用小帯域での前記アップリンク伝送を制御する通信制御ステップと、
前記基地局は、前記アップリンク用小帯域の受信電力を測定し、測定した受信電力により、当該アップリンク用小帯域の通信品質を求める品質測定ステップとを含んでおり、
前記帯域割当ステップにおいて、前記通信端末に対し、前記アップリンク用小帯域が割り当てられているが、前記ダウンリンク用小帯域が割り当てられていない前記周波数帯域が存在する場合、
前記通信制御決定ステップは、当該周波数帯域における割当済の前記アップリンク用小帯域であるオンリー状態のアップリンク用小帯域について、前記品質測定ステップにて求められた通信品質に基づいて、前記オンリー状態のアップリンク用小帯域の通信制御を決定することを特徴とする無線通信システムの制御方法。
【請求項１９】
複数の周波数帯域を利用して、基地局と通信端末とが無線通信を行う無線通信システムであって、前記複数の周波数帯域のそれぞれは、前記基地局から前記通信端末へのダウンリンク伝送に利用される周波数帯域であるダウンリンク用小帯域と、前記通信端末から前記基地局へのアップリンク伝送に利用される周波数帯域であるアップリンク用小帯域とを含む無線通信システムの制御方法であって、
前記基地局は、前記複数の周波数帯域の中から、前記ダウンリンク用小帯域および前記アップリンク用小帯域を前記通信端末に割り当てる帯域割当ステップと、
前記通信端末は、該帯域割当ステップにて割り当てられた割当済のダウンリンク用小帯域の通信品質を測定する品質測定ステップと、
前記基地局は、該品質測定ステップにて測定された割当済のダウンリンク用小帯域の通信品質に基づいて、当該割当済のダウンリンク用小帯域に対応する、前記帯域割当ステップにて割り当てられた割当済のアップリンク用小帯域の通信制御を決定する通信制御決定ステップと、
前記通信端末は、前記通信制御決定ステップにて決定された前記割当済のアップリンク用小帯域の通信制御に基づいて、当該割当済のアップリンク用小帯域での前記アップリンク伝送を制御する通信制御ステップとを含んでおり、
前記帯域割当ステップにおいて、前記通信端末に対し、前記アップリンク用小帯域を割り当てる必要があるが、前記ダウンリンク用小帯域を割り当てる必要がない前記周波数帯域が存在する場合、
前記帯域割当ステップは、当該周波数帯域における前記ダウンリンク用小帯域を、前記通信品質を測定するためのダウンリンク用小帯域として、前記通信端末に割り当てることを特徴とする無線通信システム制御方法。
【発明の詳細な説明】
【技術分野】
【０００１】
本発明は、複数の周波数帯域を使用して、通信端末および基地局が無線通信を行う無線通信システム、該無線通信システムにおける通信端末、基地局、これらの制御方法および制御プログラム、並びに、該制御プログラムを記録した記録媒体に関するものである。
【背景技術】
【０００２】
現在、３ＧＰＰ（3rd Generation Partnership Project）では、ＬＴＥ（Long Term Evolution）通信方式についての仕様が策定されている。また、ＬＴＥ通信方式として、ＬＴＥ−Ａ（LTE−Advanced）通信方式の検討が進められている。ＬＴＥ−Ａ通信方式では、ＬＴＥ通信方式よりも高速の通信を実現することが要求され、ＬＴＥ通信方式の２０ＭＨｚの帯域よりも広帯域（１００ＭＨｚまで）をサポートすることが要求されている。【０００３】
しかしながら、広帯域の連続した周波数帯域をＬＴＥ−Ａ通信方式用として確保することは世界的に困難である。さらに、ＬＴＥ−Ａ通信方式は、ＬＴＥ通信方式との互換性を可能な限り維持することが求められている。そこで、帯域幅が２０ＭＨｚまでのキャリア（コンポーネントキャリア（Component Carrier；ＣＣ））を複数個束ねることにより、最大１００ＭＨｚの帯域を確保し、高速かつ大容量の通信を実現するキャリアアグリゲーション（Carrier Aggregation；ＣＡ）技術が非特許文献１において開示されている。【０００４】
上記ＣＡ技術についてシグナリング、チャネル配置、マッピング、等の詳細仕様について検討が進められている。上記ＣＡ技術を用いた通信で使用されるＣＣとして、下りリンク（Down Link）−コンポーネントキャリアセット（ＤＬ−ＣＣセット）が定義されている。ＤＬ−ＣＣセットは、ユーザ端末固有（ＵＥ（User Equipment）specific）で通信に使用するためのＤＬ−ＣＣのことであり、ユーザ毎に通信に使用する１または複数のＤＬ−ＣＣが基地局により指定される。【０００５】
ＵＬ（Up Link；上りリンク）−ＣＣおよびＤＬ−ＣＣにおけるハンドオーバなどの通信制御は、通信を行っている無線伝搬路の品質（無線伝搬品質、通信品質）に基づいて行われる。通常、通信で使用されているＤＬ−ＣＣ（ＤＬ−ＣＣセット）を監視することにより、上記無線伝搬品質を評価する。【０００６】
例えば、非特許文献２では、ＵＬ−ＣＣの送信電力制御において、報知情報におけるＳＩＢ２（System Information Block2）で示される（ＵＬ−ＣＣと対になっている）ＤＬ−ＣＣをパスロス（Pathloss）のリファレンスとして使用している。また、ＵＬ−ＣＣと、リファレンスとして使用されるＤＬ−ＣＣとにおける帯域が異なる場合には、パスロスが大きく異なるため、パスロスの補正を行う必要がある。
【先行技術文献】
【非特許文献】
【０００７】
【非特許文献１】"Evolved Universal Terrestrial Radio Access (E-UTRA); Further advancements for E-UTRA physical layer aspects (Release 9)", 3GPP TR (Technical Report) 36.814 V9.0.0 (2010-03), March 18,2010
【非特許文献２】"Pathloss derivation for UL PC in LTE-A", 3GPP TSG RAN WG1 Meeting #61bis, R1-103441, June 28 - July 2, 2010
【発明の概要】
【発明が解決しようとする課題】
【０００８】
一般に、ＵＬ−ＣＣの送信制御やハンドオーバ制御などの通信制御は、上述のように、該ＵＬ−ＣＣと対になっているＤＬ−ＣＣを用いて行われる。しかしながら、上記ＣＡ技術では、ＤＬデータ量よりもＵＬデータ量の方が多い場合、ＤＬ−ＣＣよりも多数のＵＬ−ＣＣを利用して通信を行うため、対となるＤＬ−ＣＣが存在しないＵＬ−ＣＣを利用する場合が想定される。さらに、ＤＬ−ＣＣセット内のＤＬ−ＣＣと周波数帯域が異なった、あるいは通信する基地局が異なったＵＬ−ＣＣを利用する場合も想定される。この場合、何れのＤＬ−ＣＣを利用してパスロスを算出し無線伝搬品質を評価するのかが明確になってはいない。以下では、これらのＵＬ−ＣＣをＵＬ−ＣＣonlyと称する。【０００９】
また、ＵＬ−ＣＣonlyの場合には、例え通信で利用しているＤＬ−ＣＣ（ＤＬ−ＣＣセット内のＤＬ−ＣＣ）を利用した場合でも、周波数帯域や通信基地局などが異なっているため正確な評価を行うことができない。現状では、このようなＵＬ−ＣＣonlyを利用した場合のＵＬ−ＣＣの追加方法、ハンドオーバ制御方法、および送信制御方法について明確になってはいない。このため、このような場合のＵＬ−ＣＣの制御方法についての検討が必要となる。【００１０】
上述のように、正確な評価ができないことによる問題点としては、例えば、通信端末が基地局から離れることで、通信端末から基地局に届く電波強度が弱まり、基地局がＵＬ−ＣＣを制御できない場合、通信端末がアップリンク送信を続けたとしても、基地局から通信端末へのフィードバックも出来ないことになり、通信端末から無駄な送信を続けてしまうことが挙げられる。【００１１】
また、ハンドオーバ制御についても、ＵＬに対してペアとなるＤＬが存在する場合は、ＤＬの品質に基づいたハンドオーバ制御が可能であるが、ＵＬ−ＣＣonlyでは、対となるＤＬ−ＣＣが存在しないため、柔軟な制御が出来ないことになる。【００１２】
本発明は、上記課題を解決するためになされたものであり、その目的は、対となるＤＬ−ＣＣが存在しないＵＬ−ＣＣ（ＵＬ−ＣＣonly）についての無線伝搬品質を精度よく評価することができ、ＵＬ−ＣＣonlyでのアップリンク伝送を精度よく制御することができる無線通信システムなどを提供することにある。
【課題を解決するための手段】
【００１３】
本発明に係る無線通信システムは、複数の周波数帯域を利用して、基地局と通信端末とが無線通信を行う無線通信システムであって、上記課題を解決するために、前記複数の周波数帯域のそれぞれは、前記基地局から前記通信端末へのダウンリンク伝送に利用される周波数帯域であるダウンリンク用小帯域と、前記通信端末から前記基地局へのアップリンク伝送に利用される周波数帯域であるアップリンク用小帯域とを含んでおり、前記基地局は、前記複数の周波数帯域の中から、前記ダウンリンク用小帯域および前記アップリンク用小帯域を前記通信端末に割り当てる帯域割当手段を備えており、前記通信端末は、前記基地局の帯域割当手段が割り当てた割当済のダウンリンク用小帯域の通信品質を測定する品質測定手段を備えており、前記基地局は、前記通信端末の品質測定手段が測定した割当済のダウンリンク用小帯域の通信品質に基づいて、当該割当済のダウンリンク用小帯域に対応する、前記基地局の帯域割当手段が割り当てた割当済のアップリンク用小帯域の通信制御を決定する通信制御決定手段を備えており、前記通信端末は、前記基地局の通信制御決定手段が決定した前記割当済のアップリンク用小帯域の通信制御に基づいて、当該割当済のアップリンク用小帯域での前記アップリンク伝送を行う通信制御手段を備えており、前記基地局の帯域割当手段が、前記通信端末に対し、前記アップリンク用小帯域を割り当てているが、前記ダウンリンク用小帯域を割り当てていない前記周波数帯域が存在する場合、前記通信端末の品質測定手段は、当該周波数帯域における非割当の前記ダウンリンク用小帯域の通信品質を、監視用の前記ダウンリンク用小帯域としてさらに測定しており、前記基地局の通信制御決定手段は、前記通信端末の品質測定手段が測定した監視用のダウンリンク用小帯域の通信品質に基づいて、当該周波数帯域における割当済のアップリンク用小帯域であるオンリー状態のアップリンク用小帯域の通信制御を決定することを特徴としている。【００１４】
また、本発明に係る無線通信システムの制御方法は、複数の周波数帯域を利用して、基地局と通信端末とが無線通信を行う無線通信システムであって、前記複数の周波数帯域のそれぞれは、前記基地局から前記通信端末へのダウンリンク伝送に利用される周波数帯域であるダウンリンク用小帯域と、前記通信端末から前記基地局へのアップリンク伝送に利用される周波数帯域であるアップリンク用小帯域とを含む無線通信システムの制御方法であって、上記課題を解決するために、前記基地局は、前記複数の周波数帯域の中から、前記ダウンリンク用小帯域および前記アップリンク用小帯域を前記通信端末に割り当てる帯域割当ステップと、前記通信端末は、該帯域割当ステップにて割り当てられた割当済のダウンリンク用小帯域の通信品質を測定する品質測定ステップと、前記基地局は、該品質測定ステップにて測定された割当済のダウンリンク用小帯域の通信品質に基づいて、当該割当済のダウンリンク用小帯域に対応する、前記帯域割当ステップにて割り当てられた割当済のアップリンク用小帯域の通信制御を決定する通信制御決定ステップと、前記通信端末は、前記通信制御決定ステップにて決定された前記割当済のアップリンク用小帯域の通信制御に基づいて、当該割当済のアップリンク用小帯域での前記アップリンク伝送を行う通信制御ステップとを含んでおり、前記帯域割当ステップにおいて、前記通信端末に対し、前記アップリンク用小帯域が割り当てられているが、前記ダウンリンク用小帯域が割り当てられていない前記周波数帯域が存在する場合、前記品質測定ステップは、当該周波数帯域における非割当の前記ダウンリンク用小帯域の通信品質を、監視用の前記ダウンリンク用小帯域としてさらに測定しており、前記通信制御決定ステップは、前記品質測定ステップにて測定された監視用のダウンリンク用小帯域の通信品質に基づいて、当該周波数帯域における割当済のアップリンク用小帯域であるオンリー状態のアップリンク用小帯域の通信制御を決定することを特徴としている。【００１５】
ここで、アップリンク用小帯域の通信制御の例としては、アップリンク伝送を行うための送信制御、アップリンク伝送を停止したり、アップリンク用小帯域を使用できない非活性状態にしたりするため送信停止制御、アップリンク伝送を再開したり、アップリンク用小帯域を使用できる活性状態に戻したりするため送信再開制御、別の基地局へのアップリンク伝送に変更するためのハンドオーバ制御などが挙げられる。【００１６】
また、上記ダウンリンク用小帯域の通信品質の例としては、当該ダウンリンク用小帯域の信号に関する、受信レベル、伝搬損失(パスロス)などが挙げられる。さらに、上記受信レベルには、データの受信レベル、リファレンス信号の受信レベルなどが存在する。また、上記伝搬損失は、上記通信端末が、上記信号の送信電力の情報を上記基地局から受け取り、該信号の受信レベルを測定することにより求めることができる。【００１７】
上記の構成および方法によると、基地局は、複数の周波数帯域の中から、ダウンリンク用小帯域およびアップリンク用小帯域を通信端末に割り当てる。次に、前記通信端末は、割当済のダウンリンク用小帯域の通信品質を測定する。次に、前記基地局は、測定された割当済のダウンリンク用小帯域の通信品質に基づいて、当該割当済のダウンリンク用小帯域に対応する割当済のアップリンク用小帯域の通信制御を決定する。次に、前記通信端末は、決定された割当済のアップリンク用小帯域の通信制御に基づいて、当該割当済のアップリンク用小帯域でのアップリンク伝送を行う。【００１８】
このとき、前記通信端末に対し、前記アップリンク用小帯域が割り当てられているが、前記ダウンリンク用小帯域が割り当てられていない前記周波数帯域が存在する場合、前記通信端末は、当該周波数帯域における非割当の前記ダウンリンク用小帯域の通信品質を、監視用の前記ダウンリンク用小帯域としてさらに測定する。そして、前記基地局は、測定された監視用のダウンリンク用小帯域の通信品質に基づいて、当該周波数帯域における割当済のアップリンク用小帯域であるオンリー状態のアップリンク用小帯域の通信制御を決定する。【００１９】
従って、前記オンリー状態のアップリンク用小帯域（ＵＬ−ＣＣonly）と同じ周波数帯域に含まれる非割当のダウンリンク用小帯域を監視用のダウンリンク用小帯域として通信品質を測定しているので、前記オンリー状態のアップリンク用小帯域の通信品質を精度よく評価することができる。また、前記監視用のダウンリンク用小帯域の通信品質に基づいて前記オンリー状態のアップリンク用小帯域の通信制御が決定されるので、前記通信端末は、前記オンリー状態のアップリンク用小帯域でのアップリンク伝送を精度よく制御することができる。【００２０】
なお、前記基地局は、前記通信端末に対し複数の前記ダウンリンク用小帯域をセットにして割り当ててもよい。このとき、異なる周波数帯域のダウンリンク用小帯域をセットにすることもできる。同様に、前記基地局は、前記通信端末に対し複数の前記アップリンク用小帯域を割り当ててもよい。【００２１】
本発明に係る無線通信システムは、複数の周波数帯域を利用して、基地局と通信端末とが無線通信を行う無線通信システムであって、上記課題を解決するために、前記複数の周波数帯域のそれぞれは、前記基地局から前記通信端末へのダウンリンク伝送に利用される周波数帯域であるダウンリンク用小帯域と、前記通信端末から前記基地局へのアップリンク伝送に利用される周波数帯域であるアップリンク用小帯域とを含んでおり、前記基地局は、前記複数の周波数帯域の中から、前記ダウンリンク用小帯域および前記アップリンク用小帯域を前記通信端末に割り当てる帯域割当手段を備えており、前記通信端末は、前記基地局の帯域割当手段が割り当てた割当済のダウンリンク用小帯域の通信品質を測定する品質測定手段を備えており、前記基地局は、前記通信端末の品質測定手段が測定した割当済のダウンリンク用小帯域の通信品質に基づいて、当該割当済のダウンリンク用小帯域とに対応する、前記基地局の帯域割当手段が割り当てた割当済のアップリンク用小帯域の通信制御を決定する通信制御決定手段を備えており、前記通信端末は、前記基地局の通信制御決定手段が決定した前記割当済のアップリンク用小帯域の通信制御に基づいて、当該割当済のアップリンク用小帯域での前記アップリンク伝送を制御する通信制御手段を備えており、前記基地局は、前記アップリンク用小帯域の受信電力を測定し、測定した受信電力により、当該アップリンク用小帯域の通信品質を求める品質測定手段を備えており、前記基地局の帯域割当手段が、前記通信端末に対し、前記アップリンク用小帯域を割り当てているが、前記ダウンリンク用小帯域を割り当てていない前記周波数帯域が存在する場合、前記基地局の通信制御決定手段は、当該周波数帯域における割当済の前記アップリンク用小帯域であるオンリー状態のアップリンク用小帯域について、前記品質測定手段が求めた通信品質に基づいて、前記オンリー状態のアップリンク用小帯域の通信制御を決定することを特徴としている。【００２２】
また、本発明に係る無線通信システムの制御方法は、複数の周波数帯域を利用して、基地局と通信端末とが無線通信を行う無線通信システムであって、前記複数の周波数帯域のそれぞれは、前記基地局から前記通信端末へのダウンリンク伝送に利用される周波数帯域であるダウンリンク用小帯域と、前記通信端末から前記基地局へのアップリンク伝送に利用される周波数帯域であるアップリンク用小帯域とを含む無線通信システムの制御方法であって、上記課題を解決するために、前記基地局は、前記複数の周波数帯域の中から、前記ダウンリンク用小帯域および前記アップリンク用小帯域を前記通信端末に割り当てる帯域割当ステップと、前記通信端末は、該帯域割当ステップにて割り当てられた割当済のダウンリンク用小帯域の通信品質を測定する品質測定ステップと、前記基地局は、該品質測定ステップにて測定された割当済のダウンリンク用小帯域の通信品質に基づいて、当該割当済のダウンリンク用小帯域に対応する、前記帯域割当ステップにて割り当てられた割当済のアップリンク用小帯域の通信制御を決定する通信制御決定ステップと、前記通信端末は、前記通信制御決定ステップにて決定された前記割当済のアップリンク用小帯域の通信制御に基づいて、当該割当済のアップリンク用小帯域での前記アップリンク伝送を制御する通信制御ステップと、前記基地局は、前記アップリンク用小帯域の受信電力を測定し、測定した受信電力により、当該アップリンク用小帯域の通信品質を求める品質測定ステップとを含んでおり、前記帯域割当ステップにおいて、前記通信端末に対し、前記アップリンク用小帯域が割り当てられているが、前記ダウンリンク用小帯域が割り当てられていない前記周波数帯域が存在する場合、前記通信制御決定ステップは、当該周波数帯域における割当済の前記アップリンク用小帯域であるオンリー状態のアップリンク用小帯域について、前記品質測定ステップにて求められた通信品質に基づいて、前記オンリー状態のアップリンク用小帯域の通信制御を決定することを特徴としている。【００２３】
上記の構成および方法によると、基地局は、複数の周波数帯域の中から、ダウンリンク用小帯域およびアップリンク用小帯域を通信端末に割り当てる。次に、前記通信端末は、割当済のダウンリンク用小帯域の通信品質を測定する。次に、前記基地局は、測定された割当済のダウンリンク用小帯域の通信品質に基づいて、当該割当済のダウンリンク用小帯域に対応する割当済のアップリンク用小帯域の通信制御を決定する。次に、前記通信端末は、決定された割当済のアップリンク用小帯域の通信制御に基づいて、当該割当済のアップリンク用小帯域でのアップリンク伝送を行う。【００２４】
このとき、前記通信端末に対し、前記アップリンク用小帯域が割り当てられているが、前記ダウンリンク用小帯域が割り当てられていない前記周波数帯域が存在する場合、前記基地局は、当該周波数帯域における割当済のアップリンク用小帯域であるオンリー状態のアップリンク用小帯域について、受信電力を測定し、測定した受信電力により通信品質を求める。そして、前記基地局は、求められた通信品質に基づいて、前記オンリー状態のアップリンク用小帯域の通信制御を決定する。【００２５】
従って、前記基地局が前記オンリー状態のアップリンク用小帯域（ＵＬ−ＣＣonly）の通信品質を、直接評価できるので、精度よく評価することができる。また、前記オンリー状態のアップリンク用小帯域の通信品質に基づいて前記オンリー状態のアップリンク用小帯域の通信制御が決定されるので、前記通信端末は、前記オンリー状態のアップリンク用小帯域でのアップリンク伝送を精度よく制御することができる。【００２６】
本発明に係る無線通信システムは、複数の周波数帯域を利用して、基地局と通信端末とが無線通信を行う無線通信システムであって、上記課題を解決するために、前記複数の周波数帯域のそれぞれは、前記基地局から前記通信端末へのダウンリンク伝送に利用される周波数帯域であるダウンリンク用小帯域と、前記通信端末から前記基地局へのアップリンク伝送に利用される周波数帯域であるアップリンク用小帯域とを含んでおり、前記基地局は、前記複数の周波数帯域の中から、前記ダウンリンク用小帯域および前記アップリンク用小帯域を前記通信端末に割り当てる帯域割当手段を備えており、前記通信端末は、前記基地局の帯域割当手段が割り当てた割当済のダウンリンク用小帯域の通信品質を測定する品質測定手段を備えており、前記基地局は、前記通信端末の品質測定手段が測定した割当済のダウンリンク用小帯域の通信品質に基づいて、当該割当済のダウンリンク用小帯域とに対応する、前記基地局の帯域割当手段が割り当てた割当済のアップリンク用小帯域の通信制御を決定する通信制御決定手段を備えており、前記通信端末は、前記基地局の通信制御決定手段が決定した前記割当済のアップリンク用小帯域の通信制御に基づいて、当該割当済のアップリンク用小帯域での前記アップリンク伝送を制御する通信制御手段を備えており、前記基地局の帯域割当手段が、前記通信端末に対し、前記アップリンク用小帯域を割り当てる必要があるが、前記ダウンリンク用小帯域を割り当てる必要がない前記周波数帯域が存在する場合、前記基地局の帯域割当手段は、当該周波数帯域における前記ダウンリンク用小帯域を、前記通信品質を測定するためのダウンリンク用小帯域として、前記通信端末に割り当てることを特徴としている。【００２７】
また、本発明に係る基地局の制御方法は、複数の周波数帯域を利用して、基地局と通信端末とが無線通信を行う無線通信システムであって、前記複数の周波数帯域のそれぞれは、前記基地局から前記通信端末へのダウンリンク伝送に利用される周波数帯域であるダウンリンク用小帯域と、前記通信端末から前記基地局へのアップリンク伝送に利用される周波数帯域であるアップリンク用小帯域とを含む無線通信システムの制御方法であって、上記課題を解決するために、前記基地局は、前記複数の周波数帯域の中から、前記ダウンリンク用小帯域および前記アップリンク用小帯域を前記通信端末に割り当てる帯域割当ステップと、前記通信端末は、該帯域割当ステップにて割り当てられた割当済のダウンリンク用小帯域の通信品質を測定する品質測定ステップと、前記基地局は、該品質測定ステップにて測定された割当済のダウンリンク用小帯域の通信品質に基づいて、当該割当済のダウンリンク用小帯域に対応する、前記帯域割当ステップにて割り当てられた割当済のアップリンク用小帯域の通信制御を決定する通信制御決定ステップと、前記通信端末は、前記通信制御決定ステップにて決定された前記割当済のアップリンク用小帯域の通信制御に基づいて、当該割当済のアップリンク用小帯域での前記アップリンク伝送を制御する通信制御ステップとを含んでおり、前記帯域割当ステップにおいて、前記通信端末に対し、前記アップリンク用小帯域を割り当てる必要があるが、前記ダウンリンク用小帯域を割り当てる必要がない前記周波数帯域が存在する場合、前記帯域割当ステップは、当該周波数帯域における前記ダウンリンク用小帯域を、前記通信品質を測定するためのダウンリンク用小帯域として、前記通信端末に割り当てることを特徴としている。【００２８】
上記の構成および方法によると、基地局は、複数の周波数帯域の中から、ダウンリンク用小帯域およびアップリンク用小帯域を通信端末に割り当てる。次に、前記通信端末は、割当済のダウンリンク用小帯域の通信品質を測定する。次に、前記基地局は、測定された割当済のダウンリンク用小帯域の通信品質に基づいて、当該割当済のダウンリンク用小帯域に対応する割当済のアップリンク用小帯域の通信制御を決定する。次に、前記通信端末は、決定された割当済のアップリンク用小帯域の通信制御に基づいて、当該割当済のアップリンク用小帯域でのアップリンク伝送を行う。【００２９】
このとき、前記通信端末に対し、前記アップリンク用小帯域を割り当てる必要があるが、前記ダウンリンク用小帯域を割り当てる必要がない前記周波数帯域が存在する場合、前記基地局は、当該周波数帯域における前記ダウンリンク用小帯域を、前記通信品質を測定するためのダウンリンク用小帯域として、前記通信端末に割り当てている。【００３０】
これにより、割当済のアップリンク用小帯域が含まれる周波数帯域には、必ず、通信品質が測定されるダウンリンク用小帯域が含まれることになり、上述のオンリー状態のアップリンク用小帯域が存在しなくなる。その結果、前記基地局は、前記割当済のアップリンク用小帯域の通信品質を精度よく評価することができ、前記通信端末は、前記アップリンク用小帯域でのアップリンク伝送を精度よく制御することができる。
【発明の効果】
【００３１】
以上のように、本発明に係る無線通信システムは、オンリー状態のアップリンク用小帯域と同じ周波数帯域に含まれる非割当のダウンリンク用小帯域を監視用のダウンリンク用小帯域として通信品質が測定されるので、前記オンリー状態のアップリンク用小帯域の通信品質を精度よく評価でき、その結果、前記オンリー状態のアップリンク用小帯域でのアップリンク伝送を精度よく制御できるという効果を奏する。【００３２】
また、本発明に係る無線通信システムは、基地局がオンリー状態のアップリンク用小帯域について、受信電力を測定し、測定した受信電力により通信品質を直接求めているので、該通信品質を精度よく評価でき、その結果、前記オンリー状態のアップリンク用小帯域でのアップリンク伝送を精度よく制御できるという効果を奏する。【００３３】
また、本発明に係る無線通信システムは、オンリー状態のアップリンク用小帯域が含まれる周波数帯域における非割当のダウンリンク用小帯域を通信端末にさらに割り当てているので、前記オンリー状態のアップリンク用小帯域が存在しなくなり、その結果、前記オンリー状態のアップリンク用小帯域に関する通信制御の精度の低下を防止できるという効果を奏する。
【図面の簡単な説明】
【００３４】
【図１】本発明の一実施形態である無線通信システムの概要図である。
【図２】上記無線通信システムの概略構成を示すブロック図である。
【図３】上記無線通信システムにおける端末の概略構成を示すブロック図である。
【図４】上記無線通信システムにおける基地局の概略構成を示すブロック図である。
【図５】上記無線通信システムに関して、ＣＡ接続における端末および基地局の動作の一例を示すシーケンス図である。
【図６】上記ＣＡ接続におけるＣＡセット決定の処理の流れを示すフローチャートである。
【図７】上記無線通信システムに関して、ＵＬ−ＣＣonlyの送信制御における上記端末および基地局の動作の一例を示すシーケンス図である。
【図８】上記送信制御におけるＵＬ−ＣＣonly対応の品質測定の処理の流れを示すフローチャートである。
【図９】上記ＵＬ−ＣＣonlyの送信制御における上記端末および基地局の動作の他の例を示すシーケンス図である。
【図１０】上記送信制御におけるＵＬ−ＣＣonly対応の品質測定の処理の流れを示すフローチャートである。
【図１１】上記無線通信システムに関して、ＵＬ−ＣＣonlyのハンドオーバ制御における上記端末および基地局の動作の一例を示すシーケンス図である。
【図１２】上記ハンドオーバ制御におけるＵＬ−ＣＣonly対応の品質測定の処理の流れを示すフローチャートである。
【図１３】上記ＵＬ−ＣＣonlyのハンドオーバ制御における上記端末および基地局の動作の別の例を示すシーケンス図である。
【図１４】上記ハンドオーバ制御におけるＵＬ−ＣＣonly対応の品質測定の処理の流れを示すフローチャートである。
【図１５】上記ＵＬ−ＣＣonlyのハンドオーバ制御における上記端末および基地局の動作の他の例を示すシーケンス図である。
【図１６】上記ハンドオーバを行うかどうかを判定するための閾値を変更する処理の一例を示すフローチャートである。
【図１７】上記無線通信システムにおいて、通信中にＵＬ−ＣＣonlyとなる場合を示す概要図である。
【図１８】上記の場合の上記端末および基地局の動作の一例を示すシーケンス図である。
【図１９】本発明の別の実施形態である無線通信システムの概要図である。
【図２０】上記無線通信システムにおける端末の概略構成を示すブロック図である。
【図２１】上記無線通信システムにおける基地局の概略構成を示すブロック図である。
【図２２】上記無線通信システムに関して、ＵＬ−ＣＣonlyの送信制御における上記端末および基地局の動作の一例を示すシーケンス図である。
【図２３】上記ＵＬ−ＣＣonlyの送信制御におけるＵＬ−ＣＣonly対応の品質測定の端末側処理の流れを示すフローチャートである。
【図２４】上記ＵＬ−ＣＣonly対応の品質測定の基地局側処理の流れを示すフローチャートである。
【図２５】上記無線通信システムに関して、ＵＬ−ＣＣonlyのハンドオーバ制御における上記端末および基地局の動作の一例を示すシーケンス図である。
【図２６】上記ＵＬ−ＣＣonlyのハンドオーバ制御におけるＵＬ−ＣＣonly対応の品質測定の端末側処理の流れを示すフローチャートである。
【図２７】本発明の他の実施形態である無線通信システムの概要図である。
【図２８】上記無線通信システムに関して、ＣＡセット決定の処理の一例を示すフローチャートである。
【図２９】上記ＣＡセット決定の処理の他の例を示すフローチャートである。
【発明を実施するための形態】
【００３５】
〔実施の形態１〕
本発明の一実施形態について図１〜図１８に基づいて説明すれば、以下の通りである。
【００３６】
図１は、本実施形態である無線通信システムの概要図である。図１に示すように、無線通信システム１０は、無線通信端末（以下、「端末」と略称する。）１１と、該無線通信端末１１と無線通信を行う基地局１２Ａ〜１２Ｃとを備える構成である。なお、以下では、基地局１２Ａ〜１２Ｃを総称する場合には、「基地局１２」と記載する。
【００３７】
本実施形態では、２つの周波数帯域（以下、「帯域」と略称する。）ＦＢ１・ＦＢ２が上記無線通信に利用されている。図１に示すように、基地局１２Ａは、帯域ＦＢ１・ＦＢ２を利用しており、基地局１２Ｂは、帯域ＦＢ１を利用しており、基地局１２Ｃは、帯域ＦＢ１・ＦＢ２を利用している。
【００３８】
また、図１には、基地局１２Ａが帯域ＦＢ１・ＦＢ２でそれぞれ通信可能な領域であるセル１３Ａ１・１３Ａ２が示され、基地局１２Ｂが帯域ＦＢ１で通信可能な領域であるセル１３Ｂ１が示され、基地局１２Ｃが帯域ＦＢ１・ＦＢ２でそれぞれ通信可能な領域であるセル１３Ｃ１・１３Ｃ２が示されている。なお、以下では、セル１３Ａ１・１３Ａ２・１３Ｂ１・１３Ｃ１・１３Ｃ２を総称する場合には、「セル１３」と記載する。
【００３９】
基地局１２Ａは、端末１１に対し帯域ＦＢ１と帯域ＦＢ２とで複数のＤＬ−ＣＣ（ダウンリンク用小帯域）を利用して送信を行う一方、端末１１は、基地局１２Ａに対し帯域ＦＢ１と帯域ＦＢ２とで複数のＵＬ−ＣＣ（アップリンク用小帯域）を利用して送信を行っている。なお、基地局１２Ｃも同様である。基地局１２Ｂは、端末１１に対し帯域ＦＢ１で複数のＤＬ−ＣＣを利用して送信を行う一方、端末１１は、基地局１２Ｂに対し帯域ＦＢ１で複数のＵＬ−ＣＣを利用して送信を行っている。
【００４０】
本実施形態では、ＦＤＤ（Frequency Division Duplex）通信方式を使用しているため、ＤＬとＵＬとでは異なる周波数で通信を行っている。また、帯域ＦＢ１および帯域ＦＢ２は、国が移動体通信システムのために割り当てた周波数帯域であり、例えば日本国の場合、２ＧＨｚ帯域（このうち、ＵＬが１９２０ＭＨｚ〜１９８０ＭＨｚであり、ＤＬが２１１０ＭＨｚ〜２１７０ＭＨｚである）、８００ＭＨｚ帯域(このうち、ＵＬが８２４ＭＨｚ〜８４９ＭＨｚであり、ＤＬが８６９ＭＨｚ〜８９４ＭＨｚである)等である。なお、他の通信方式を使用してもよい。
【００４１】
図１は、例えばアップロードの場合のように、ＵＬのデータ量がＤＬのデータ量よりも多い通信を行っている端末１１が、地点ａから地点ｂに移動して、帯域ＦＢ１のＣＣによる通信が基地局１２Ａから基地局１２Ｂにハンドオーバされる様子を示している。図１に示すように、地点ａでは、端末１１は、ＤＬに関して基地局１２Ａの帯域ＦＢ２のＤＬ−ＣＣ（ＤＬ−ＣＣ２１）１つと、ＵＬに関して基地局１２Ａの帯域ＦＢ２のＵＬ−ＣＣ（ＵＬ−ＣＣ２１）と基地局１２Ａの帯域ＦＢ１のＵＬ−ＣＣ（ＵＬ−ＣＣ１１）との２つとを利用して通信を行っている。すなわち、ＤＬ−ＣＣセットはＤＬ−ＣＣ２１のみであり、ＵＬ−ＣＣセットはＵＬ−ＣＣ２１とＵＬ−ＣＣ１１との２つということになる。
【００４２】
図１に示す例では、帯域ＦＢ１内のＣＣとしてはＵＬ−ＣＣ１１の１つしか存在していない。言い換えると、ＤＬ−ＣＣセット内のＤＬ−ＣＣが存在しない帯域にＵＬ−ＣＣが存在していることになる。この場合、帯域ＦＢ１および帯域ＦＢ２で無線伝搬特性が異なるため、帯域の異なる、すなわち通信品質が大きく異なるＤＬ−ＣＣ２１でＵＬ−ＣＣ１１を精度良く制御することは困難である。
【００４３】
このように、ＤＬ−ＣＣセット内の全てのＤＬ−ＣＣと無線伝搬特性（帯域）が異なるＵＬ−ＣＣが存在する場合、当該ＵＬ−ＣＣをＵＬ−ＣＣonly（アップリンクオンリー状態のアップリンク用小帯域）と称する。なお、ＤＬ−ＣＣセット内の全てのＤＬ−ＣＣとセル（基地局１２）が異なるＵＬ−ＣＣの場合でも、品質が異なるため、帯域が異なるときと同様にＵＬ−ＣＣonlyとなる。
【００４４】
本実施形態では、上記無線伝搬特性に関係なく、基地局１２から監視用のＤＬ−ＣＣが指示されるＵＬ−ＣＣに関しては、後述する全てのＵＬ−ＣＣonlyの送信制御と同様の送信制御を行うことが可能である。
【００４５】
図１に示す地点ａでは、ＵＬ−ＣＣ２１の送信制御は、通常通りに同じ帯域ＦＢ２内のＤＬ−ＣＣ２１の品質に基づいて行われる。しかしながら、ＵＬ−ＣＣ１１はＵＬ−ＣＣonlyであるため、ＵＬ−ＣＣ１１に対応するＤＬ−ＣＣを監視することにより、ＵＬ−ＣＣonlyの品質を確保し、ＵＬ−ＣＣ１１の送信制御を精度良く行っている。図１において、破線で示す矢印が、監視用のＤＬ−ＣＣを示している。
【００４６】
なお、ＵＬ−ＣＣ１１とＤＬ−ＣＣとの対応付けは、例えば無線通信システム１０で予め定められている（報知情報で通知される）ＤＬ−ＣＣとＵＬ−ＣＣとの関連付け（Cell Specific Linkage）を利用してもよい。また、通信ネットワークを介して端末固有のＤＬ−ＣＣとＵＬ−ＣＣとの関連付け（UE Specific Linkage）が通知されている場合には、該関連付けを利用してもよい。この場合、端末固有の上記関連付け（UE Specific Linkage）は、同じセル内かつ同じ帯域内で構成される必要がある。
【００４７】
また、対応付けについては、同じような無線伝搬特性を有するＤＬ−ＣＣを監視すればよいため、単純にＵＬ−ＣＣonlyと同じセル内かつ同じ帯域内のＤＬ−ＣＣであれば、何れのＤＬ−ＣＣに対応付けてもかまわない。何れにしても、該対応付けについては基地局１２が選定して端末１１に通知することになる。
【００４８】
次に、図１に示すように、端末１１が地点ａから地点ｂに移動していく。このとき、監視している基地局１２ＡのＵＬ−ＣＣ１１に対応するＤＬ−ＣＣ（帯域ＦＢ１）の品質レベルが低下していき、基地局１２ＢのＵＬ−ＣＣ１１に対応するＤＬ−ＣＣ（帯域ＦＢ１）の品質レベルが上昇していく。そして、地点ｂでは、ＵＬ−ＣＣ１１について基地局１２Ａから基地局１２Ｂにハンドオーバを行っている。なお、端末１１が該ハンドオーバを監視するタイミングは、基地局１２からの指示に基づいて行ってもよいし、周期的あるいは常時行ってもよい。
【００４９】
ＵＬ−ＣＣ１１のハンドオーバについては、基地局１２からのハンドオーバの指示により行われる。このとき、ハンドオーバ用のパラメータ（基地局１２Ｂ用の送信信号設定など）が通知され、端末１１は上記パラメータの設定を行いハンドオーバを行う。なお、ハンドオーバを行うときに特に端末１１側の送信設定などを変える必要のない場合には、基地局１２から端末１１にハンドオーバの指示を送信する必要はなく、基地局１２のみでハンドオーバ処理を行えばよい。すなわち、通信ネットワーク側でＵＬ−ＣＣonlyを基地局１２Ａから基地局１２Ｂに切り替えるのみである。
【００５０】
上述のように、ＵＬ−ＣＣonlyについては、品質の異なるＤＬ−ＣＣセット内のＤＬ−ＣＣを利用しないで、ほぼ品質が変わらない、同じセル内かつ同じ帯域内のＤＬ−ＣＣを監視することで、精度のよいＵＬ−ＣＣonlyの送信制御が可能となる。以下、詳細な構成および制御方法について説明する。
【００５１】
図２は、本実施形態の無線通信システム１０の概略構成を示すブロック図である。図２は、図１において端末１１が地点ｂに位置する場合を示している。図２の左側が基地局１２およびコアネットワーク装置１４の構成を示しており、右側が端末１１の構成を示している。
【００５２】
図２に示すように、端末１１は、基地局１２からの信号を受信する複数の受信アンテナ２０と、受信した受信信号を復調する複数の受信部２１と、基地局１２に送信する送信データを変調する複数の送信部２２と、変調した送信データを送信する複数の送信アンテナ２３と、端末１１全体の制御を行う制御部２４とを備える構成である。なお、図示はしていないが、端末１１には、ユーザへの入出力インターフェイスとなる表示部および操作部の他、様々な機能が組み込まれていることが一般的である。
【００５３】
端末１１の受信部２１は、帯域ＦＢ１および帯域ＦＢ２のそれぞれで２つのＣＣを受信できる構成となっている。受信部２１は、受信したＲＦ信号をベースバンド信号に変換し、データ復調のための所定の信号処理を行うことにより、ＣＣ毎の復調データを取得し、制御部２４へ送出する。なお、実際には、受信部２１は、或る帯域内の２つのＣＣを、別々の受信デバイスで受信するように実装されていてもよいし、１つの受信デバイスで受信するように実装されていてもよい。
【００５４】
同様に、端末１１の送信部２２も、帯域ＦＢ１および帯域ＦＢ２のそれぞれで２つのＣＣを送信できる構成となっている。送信部２２は、制御部２４から受け取ったＣＣ毎の送信データに対しデータ変調のための所定の信号処理を行い、信号処理後のベースバンド信号をＲＦ信号に変換して送信を行う。なお、実際には、送信部２２は、或る帯域内の２つのＣＣを、別々の送信デバイスで送信するように実装されていてもよいし、１つの送信デバイスで送信するように実装されていてもよい。
【００５５】
端末１１の制御部２４は、受信データや送信データの処理、各送受信部２１・２２のキャリア周波数の制御など、端末１１の通信に関わる様々な制御を行う。なお、制御部２４の詳細は後述する。
【００５６】
また、図２に示すように、基地局１２は、端末１１からの信号を受信する複数の受信アンテナ３０と、受信した受信信号を復調する複数の受信部３１と、端末１１に送信する送信データを変調する複数の送信部３２と、変調した送信データを送信する複数の送信アンテナ３３と、基地局１２全体の制御を行う制御部３４とを備える構成である。なお、基地局１２の受信部３１、送信部３２、制御部３４は、端末１１の受信部２１、送信部２２、制御部２４と同様であるので、その説明は省略する。なお、制御部３４の詳細は後述する。
【００５７】
また、図２に示すように、それぞれの基地局１２はコアネットワーク装置１４に接続されている。コアネットワーク装置１４は、基地局１２と端末１１との無線通信に関する位置制御、呼制御、サービス制御などを統括するものである。また、コアネットワーク装置１４は、外部のインターネットに接続されている。
【００５８】
次に、端末１１の制御部２４と基地局１２の制御部３４との詳細について、図３および図４を参照して説明する。図３は、端末１１の概略構成を示すブロック図である。図３に示すように、端末１１の制御部２４は、パケット通信要求部２５、品質測定部（品質測定手段）２６、および通信制御部（通信制御手段）２７を備える構成である。
【００５９】
パケット通信要求部２５は、基地局１２とのパケット通信を要求するものである。具体的には、パケット通信要求部２５は、ユーザの操作などにより、アップロードなどのパケット送信要求が発生したり、ダウンロードなどのパケット受信要求が発生したりすると、パケット接続の要求を、送信部２２を介して基地局１２に送信する。このとき、パケット通信要求部２５は、上記パケット接続の要求に、アップロード、ダウンロードなど、パケット接続の目的を含めてもよい。
【００６０】
品質測定部２６は、ＤＬ−ＣＣの通信品質を測定するものである。具体的には、品質測定部２６は、品質測定の要求を、基地局１２から受信部２１を介して受信すると、上記要求に含まれる各ＤＬ−ＣＣの通信品質を測定する。本実施形態では、品質測定部２６は、基地局１２が割り当てたＤＬ−ＣＣのセットの通信品質を測定し、ＵＬ−ＣＣonlyが存在する場合には、さらに、ＵＬ−ＣＣonlyに対応するＤＬ−ＣＣの通信品質を測定している。品質測定部２６は、測定した各ＤＬ−ＣＣの品質レベルを、送信部２２を介して基地局１２に通知する。
【００６１】
ＤＬ−ＣＣの通信品質の例としては、当該ＤＬ−ＣＣの信号に関する、受信レベル、伝搬損失(パスロス)などが挙げられる。さらに、上記受信レベルには、データの受信レベル、リファレンス信号の受信レベルなどが存在する。また、上記伝搬損失は、端末１１が、上記ＤＬ−ＣＣの信号に関する送信電力の情報を、基地局１２から受信部２１を介して受け取り、該信号の受信レベルを測定することにより求めることができる。
【００６２】
通信制御部２７は、受信部２１および送信部２２を制御するものである。具体的には、通信制御部２７は、基地局１２が端末１１に割り当てたＤＬ−ＣＣ（割当済のＤＬ−ＣＣ）およびＵＬ−ＣＣ（割当済のＵＬ−ＣＣ）のセットの情報を、基地局１２から受信部２１を介して受信する。そして、通信制御部２７は、上記ＤＬ−ＣＣのセットを利用してデータを受信し、上記ＵＬ−ＣＣのセットを利用してデータを送信するように、受信部２１および送信部２２を制御する。また、通信制御部２７は、基地局１２が決定した通信制御の情報を、基地局１２から受信部２１を介して受信し、受信した通信制御の情報に基づいて、受信部２１のデータ受信と、送信部２２のデータ送信とを制御する。
【００６３】
図４は、基地局１２の概略構成を示すブロック図である。図４に示すように、基地局１２の制御部３４は、ＣＡ候補決定部３５、ＣＡセット決定部（セット割当手段）３６、および通信制御部（通信制御決定手段）３７を備える構成である。
【００６４】
ＣＡ候補決定部３５は、端末１１から受信部３１を介して上記パケット接続の要求を受信すると、受信した要求に応じたＣＡ接続を行うためのＣＡ候補を決定するものである。ＣＡ候補決定部３５は、決定したＣＡ候補に含まれる複数のＤＬ−ＣＣの品質測定を、送信部３２を介して端末１１に要求する。
【００６５】
ＣＡセット決定部３６は、ＣＡ候補決定部３５が要求したＤＬ−ＣＣの品質測定の測定結果を、端末１１から受信部３１を介して受信すると、受信した測定結果に基づき、ＣＡ接続を行うためのＣＡセットを決定するものである。ＣＡセット決定部３６は、決定したＣＡセットの情報を、通信制御部３７に送信すると共に、送信部３２を介して端末１１に送信する。
【００６６】
通信制御部３７は、ＣＡセット決定部３６からのＣＡセットの情報に基づき端末１１と通信を行うように受信部３１および送信部３２を制御するものである。さらに、本実施形態では、通信制御部３７は、端末１１が測定したＤＬ−ＣＣの品質レベルを、端末１１から受信部３１を介して受信すると、受信した品質レベルに基づいて、ＣＡセットに含まれるＵＬ−ＣＣのセットの通信制御を決定する。通信制御部３７は、決定した通信制御の情報を、送信部３２を介して端末１１に送信する。
【００６７】
ＵＬ−ＣＣの通信制御の例としては、アップリンク伝送を行うための送信制御、アップリンク伝送を停止したり、ＵＬ−ＣＣを使用できない非活性状態にしたりするため送信停止制御、アップリンク伝送を再開したり、ＵＬ−ＣＣを使用できる活性状態に戻したりするため送信再開制御、別の基地局１２へのアップリンク伝送に変更するためのハンドオーバ制御などが挙げられる。
【００６８】
上記構成の端末１１および基地局１２の動作について、図５〜図１８を参照して説明する。図５は、ＣＡ接続における端末１１および基地局１２の動作の一例を示すシーケンス図である。図５の例では、ＣＡ接続の時にＵＬ−ＣＣonlyも指定される場合を示している。図１および図２を参照しながら、図５について説明する。
【００６９】
まず、端末１１は待ち受け状態になっているものとする（Ｔ１０）。例えば、帯域ＦＢ２内のＤＬ−ＣＣ２１にキャンプオンしているものとする。そして、例えばユーザの操作により、端末１１にアップロードなどのパケット送信要求が発生したとする（Ｔ１１）。
【００７０】
このとき、端末１１は、基地局１２Ａと接続するために、現在キャンプオンしているＤＬ−ＣＣ２１に対応するＵＬ−ＣＣ２１を用いて基地局１２Ａとの接続を行う。なお、ＤＬ−ＣＣ２１に対応するＵＬ−ＣＣ２１は、報知情報で前もって通知されている。その後、端末１１は、アップロードを行う旨を含めたパケット接続要求を、ＵＬ−ＣＣ２１を用いて基地局１２Ａに送信する（Ｔ１２）。
【００７１】
一方、基地局１２Ａは、上記パケット接続要求に応じたＣＡ接続を行うためのＣＡ候補を決定する（Ｔ１３）。本実施例では、上記パケット接続要求にアップロード（ＤＬ−ＣＣよりも多くのＵＬ−ＣＣを利用しての通信）を行う旨が含まれているので、基地局１２Ａは、ＣＡ接続を行う旨を決定し、ＣＡに利用できるＣＣの候補を決定し、決定したＣＣの品質測定要求を、ＤＬ−ＣＣ２１を用いて端末１１に送信する（Ｔ１４）。アップロードの場合、例えばＵＬ−ＣＣの通信トラフィック量の少ないＣＣを上記ＣＡ候補として選択すればよい。なお、上記パケット接続要求が音声電話や少量のデータ通信などの要求であった場合、基地局１２Ａは、ＣＡ接続を行わない旨を決定し、現在接続されているＣＣを用いて通信を行う。
【００７２】
端末１１は、基地局１２Ａから上記品質測定要求を受信すると、測定要求された各ＤＬ−ＣＣの品質測定を行い（Ｔ１５）、測定した品質レベルを基地局１２ＡにＵＬ−ＣＣ２１を用いて通知する（Ｔ１６）。一方、基地局１２Ａは、通知された各ＤＬ−ＣＣの品質レベルに基づいて、通信に利用するＣＣのセット（ＣＡセット）を決定する（Ｔ１７）。ここで決定されたＤＬ−ＣＣのセットをＤＬ−ＣＣセットと呼び、ＵＬ−ＣＣの集合をＵＬ−ＣＣセットと呼ぶことにする。なお、ＣＡセットを決定する処理の詳細については後述する。
【００７３】
ステップＴ１７において、ＵＬ−ＣＣの方がＤＬ−ＣＣよりも数多く選択され、また、ＵＬ−ＣＣセットの中にＵＬ−ＣＣonly（ＵＬ−ＣＣ１１）が選択される。次に、基地局１２Ａは、ステップＴ１７にて決定されたＣＡセット（ＤＬ−ＣＣセット（ＤＬ−ＣＣ２１）およびＵＬ−ＣＣセット（ＵＬ−ＣＣ２１・ＵＬ−ＣＣ１１））を端末１１にＤＬ−ＣＣ２１を用いて通知する（Ｔ１８）。なお、本実施例では、ステップＴ１８において、ＤＬ−ＣＣセットとＵＬ−ＣＣセットとの通知のみを行っているが、その他の制御に必要なＣＣセットなどがあれば、該ＣＣセットも同時に通知することになる。
【００７４】
また、ステップＴ１７において、ＵＬ−ＣＣonlyが選択された場合、選択されたＵＬ−ＣＣonly（ＵＬ−ＣＣ１１）の品質を確保する（監視する）ためのＤＬ−ＣＣ（ＤＬ−ＣＣ１１）を、ステップＴ１８の上記通知に含めて指定する。なお、指定された監視用のＤＬ−ＣＣを端末１１が受信して品質を確保できるのに必要なパラメータ（例えば、該当するＣＣを送信している基地局１２のセルＩＤ、基地局１２での送信レベルなど）も併せて通知する。
【００７５】
監視用ＤＬ−ＣＣ（ＤＬ−ＣＣ１１）について、基地局１２が同じセル内かつ同じ帯域内のＤＬ−ＣＣの中から選択する方法としては、以下の３つの方法が挙げられる。すなわち、第１の方法は、無線通信システム１０においてＵＬ−ＣＣonlyと予め関連付けられているＤＬ−ＣＣを基地局１２が選択するものである。この方法では、報知情報で通知されるＤＬ−ＣＣとＵＬ−ＣＣとの関連付け（Cell Specific Linkage）が利用される。
【００７６】
第２の方法は、基地局１２が監視用として予め決定しているＤＬ−ＣＣを選択するものである。例えば、基地局１２が同じセル内かつ同じ帯域内のＤＬ−ＣＣの中から、ＵＬ−ＣＣの帯域部分に最も近いＤＬ−ＣＣを選択することが挙げられる。或いは、全ての基地局１２で利用可能なＤＬ−ＣＣを選択することが挙げられる。但し、監視用として予め決定しているＤＬ−ＣＣであっても、他のユーザが通信用に利用している可能性がある。第３の方法は、基地局１２が同じセル内かつ同じ帯域内のＤＬ−ＣＣの中から、通信トラフィック量の最も多いＤＬ−ＣＣを選択するものである。
【００７７】
端末１１は、ＣＡセットの通知を受信すると、ＵＬ−ＣＣonlyが含まれているために基地局１２より監視用として指定されたＤＬ−ＣＣ（ＤＬ−ＣＣ１１）の監視を開始する（Ｔ１９）。なお、上記監視の詳細については後述する。その後、指定されたＣＣを用いたパケット通信接続が可能となる。なお、該パケット通信接続を、ＵＬ−ＣＣonlyで行うとき、初期送信電力値としては、ＵＬ−ＣＣonlyに対応するＤＬ−ＣＣの品質レベルに基づいて決定してもよい。しかしながら、基地局１２から接続時の初期送信電力値の指示があれば、該指示に従う制御を行うことは言うまでもない。
【００７８】
パケット接続の完了後にデータの送信が開始される。データ送信は、ＵＬ−ＣＣ２１とＵＬ−ＣＣ１１（ＵＬ−ＣＣonly）を用いて行われる。端末１１の送信データに対するＡＣＫ／ＮＡＣＫなどの制御信号は、ＤＬ−ＣＣ２１を用いて基地局１２から送信される。一方、基地局１２からの受信データを、ＤＬ−ＣＣ２１を用いて受信している場合、上記受信データに対するＡＣＫ／ＮＡＣＫなどの制御信号は、ＵＬ−ＣＣonlyではなく、ＵＬ−ＣＣ２１を用いて端末１１から送信される。ＤＬ−ＣＣ１１は、上述のようにＵＬ−ＣＣonlyの品質監視用ＣＣであり、通信用のＤＬ−ＣＣセットに含まれないため、データ、制御信号などの通信には使用されない。
【００７９】
以上の制御を行うことにより、ＵＬ−ＣＣonlyが基地局１２より指定されたとしても、ＵＬ−ＣＣonlyに対応するＤＬ−ＣＣの受信系を起動し監視することで、ＵＬ−ＣＣonlyのより精度のよい送信制御が可能となる。
【００８０】
次に、ＣＡセットを決定する処理の詳細について、図６を参照して説明する。図６は、図５に示すＣＡセット決定の処理（Ｔ１７）の流れを示すフローチャートである。
【００８１】
図６に示すように、まず、基地局１２Ａは、端末１１より通知された各基地局１２の各ＤＬ−ＣＣの品質レベルを取得する（Ｓ１０）。次に、要求された通信量や基地局１２の通信トラフィック量等に基づき、ＤＬ−ＣＣセット数ＮｄおよびＵＬ−ＣＣセット数Ｎｕを決定する（Ｓ１１）。次に、品質レベルの大きいＤＬ−ＣＣから順にＮｄ個のＤＬ−ＣＣを選択する（Ｓ１２）。これにより、ＤＬ−ＣＣセットが決定される。なお、ステップＳ１２において、選択されたＤＬ−ＣＣの品質レベルが劣悪であれば、該ＤＬ−ＣＣをＤＬ−ＣＣセットから外すような制御を追加してもよい。この場合、ＤＬ−ＣＣセットはＮｄよりも小さくなる。
【００８２】
次に、基地局１２Ａは、品質レベルの大きいＤＬ−ＣＣに対応するＵＬ−ＣＣから順にＮｕ個のＵＬ−ＣＣを選択する（Ｓ１３）。これにより、ＵＬ−ＣＣセットが決定される。以上により、ＣＡセットが決定される。なお、ステップＳ１３において、選択されたＤＬ−ＣＣの品質レベルが劣悪であれば、上記ＤＬ−ＣＣセットのときと同様に、該ＤＬ−ＣＣに対応するＵＬ−ＣＣを上記ＵＬ−ＣＣセットから外すような制御を加えてもよい。この場合、ＵＬ−ＣＣセットはＮｕよりも小さくなる。
【００８３】
このとき、Ｎｕ＞Ｎｄの場合には、ＵＬ−ＣＣがＤＬ−ＣＣよりも多く選択されるため、ＤＬ−ＣＣの品質レベルの状態や通信トラフィック量によりＵＬ−ＣＣonlyも選択される可能性がある。図５および図６の例では、ＵＬ−ＣＣonlyが選択されたときの例となっている。
【００８４】
図６に示すフローチャートにより、品質レベルの大きいＤＬ−ＣＣに対応するＵＬ−ＣＣから順にＵＬ−ＣＣを選択することで、無線伝搬品質が良好である可能性の高いＵＬ−ＣＣの選択が可能となる。なお、上述した例では、ＤＬ−ＣＣセットおよびＵＬ−ＣＣセットの数を先に決めてからＣＡセットを決定しているが、品質レベル次第では、ＤＬ−ＣＣセットあるいはＵＬ−ＣＣセットの数を変更してから再度ＣＡセットを決定する制御を追加することも可能である。
【００８５】
次に、ＵＬ−ＣＣonlyに対応するＤＬ−ＣＣの監視の詳細について説明する。図７は、ＵＬ−ＣＣonlyの送信制御における端末１１および基地局１２の動作の一例を示すシーケンス図である。図７の例は、図５にて示すように、ＵＬの通信量が多い場合の例であり、ＵＬ−ＣＣonlyを含んだＵＬ−ＣＣセットを利用した状態でパケット通信を行っている。
【００８６】
図７に示すように、まず、端末１１は、ＵＬ−ＣＣonly対応の品質測定を行う（Ｔ２０）。図８は、ＵＬ−ＣＣonly対応の品質測定の処理の流れを示すフローチャートである。
【００８７】
図８に示すように、まず、端末１１は、現在通信中であるＤＬ−ＣＣセットの各ＤＬ−ＣＣの品質を取得する（Ｓ２０）。なお、該品質の測定は、既存の方法に従って行えばよい。次に、ＵＬ−ＣＣonlyが存在するかどうかを判定する（Ｓ２１）。存在しなければ、上記処理を終了するが、本実施例では存在するので、各ＵＬ−ＣＣonlyに対応するＤＬ−ＣＣを測定することにより、上記品質を取得する（Ｓ２２）。その後、上記処理を終了する。
【００８８】
次に、図７に示すように、端末１１は、取得したＤＬ−ＣＣセットの各ＤＬ−ＣＣ（ＤＬ−ＣＣ２１）の品質と、ＵＬ−ＣＣonly（ＵＬ−ＣＣ１１）に対応するＤＬ−ＣＣ（ＤＬ−ＣＣ１１）の品質とを、ＵＬ−ＣＣ２１を用いて基地局１２Ａに通知する（Ｔ２１）。
【００８９】
次に、基地局１２Ａは、通知された品質に基づきＵＬ−ＣＣの送信制御を決定する（Ｔ２２）。このとき、例えば送信電力や送信タイミングなどの制御、さらには送信停止や送信ＣＣを非活性状態にするかどうかなどの制御も決定する。また、ＵＬ−ＣＣonlyについては、該ＵＬ−ＣＣonlyに対応するＤＬ−ＣＣ（ＤＬ−ＣＣ１１）の品質に基づきＵＬ−ＣＣonlyの上述した送信制御を決定する。その後、基地局１２Ａは、決定したＵＬ−ＣＣの送信制御を、ＤＬ−ＣＣ２１を用いて端末１１に通知する（Ｔ２３）。端末１１は、通知されたＵＬ−ＣＣの送信制御を実施する（Ｔ２４）。
【００９０】
なお、上述したＵＬ−ＣＣonly対応の品質測定（図７のＴ２０、図８）について、端末１１は、周期的に行ってもよいし、基地局１２Ａからの指示に基づいて行ってもよい。基地局１２Ａからの指示に基づいて行う場合、図７のステップＴ２０の前に、基地局１２Ａからの品質測定要求のシーケンスが追加されることになる。また、この場合には、品質測定要求として測定すべきＵＬ−ＣＣonly対応のＤＬ−ＣＣの指定を含めることが可能であり、上述のように、端末１１が上記ＤＬ−ＣＣを受信できるためのパラメータも含めることが可能である。また、図５および図６では、ＵＬ−ＣＣセット内の全てのＵＬ−ＣＣを含めて記載しているが、ＵＬ−ＣＣonlyに特化した制御に変更してもよい。
【００９１】
従って、ＵＬ−ＣＣonlyに対応する、ＵＬ−ＣＣonlyの無線伝搬品質により近いＤＬ−ＣＣの品質レベルに基づいて送信制御を行うので、より精度の高いＵＬ−ＣＣonlyの送信制御が可能となる。
【００９２】
図９は、ＵＬ−ＣＣonlyの送信制御における端末１１および基地局１２の動作の他の例を示すシーケンス図である。図７に示す例では、ＵＬ−ＣＣonlyに対応するＤＬ−ＣＣを周期的に監視する、あるいは基地局１２の指示に基づいて監視することにより、ＵＬ−ＣＣonlyの品質を管理している。
【００９３】
これに対し、図９に示す例では、ＵＬ−ＣＣonlyに対応するＤＬ−ＣＣについて、常時同期を行うことでＵＬ−ＣＣonlyの品質を管理している。例えば、ＤＬ−ＣＣの全帯域のあるいは一部の帯域のリファレンス信号（既知信号）を復調することで常に物理レイヤーでの同期（Ｌ１同期）を保つような動作を行っている。この場合、図５に示すステップＴ１８にてＵＬ−ＣＣセットが端末１１に通知されたときにＵＬ−ＣＣonlyが含まれていた時、あるいは別の方法でＵＬ−ＣＣonlyを利用するように端末１１に通知された時に、上記ＵＬ−ＣＣセットに対応するＤＬ−ＣＣのＬ１同期を開始する。
【００９４】
ここで、リファレンス信号について説明する。例えば、ＬＴＥの仕様書に適合する無線通信システムの場合、ダウンリンク伝送にはＯＦＤＭＡ（Orthogonal Frequency Division Multiple Access）が利用されている。ＯＦＤＭＡでは、周波数および時間をそれぞれ複数の領域に分割し、分割された周波数−時間領域に、複数の端末１１へのデータを配置して送信している。このとき、所定の周波数−時間領域に所定の周期で、既知信号(パイロット信号)が挿入されている。この既知信号がリファレンス信号と呼ばれるものである。
【００９５】
上記リファレンス信号は、チャネル(無線伝搬路)推定、品質測定、周辺セルのモニタリングなどに利用するものであるが、所定の周期で伝送されるため、端末１１および基地局１２の同期にも利用することができる。また、上記リファレンス信号には、セルに依存する変調が施されている。従って、端末１１は、物理レイヤーにて、ＵＬ−ＣＣonlyと同じ帯域で伝送された複数のリファレンス信号を復調することにより、ＵＬ−ＣＣonlyと同じセルのリファレンス信号を特定でき、特定したリファレンス信号を利用することにより、物理レイヤーでの上記同期が可能となる。
【００９６】
図９に示すＵＬ−ＣＣonlyの送信制御は、図７に示すＵＬ−ＣＣonlyの送信制御に比べて、端末１１におけるＵＬ−ＣＣonly対応の品質測定の処理が異なり、かつ、基地局１２ＡがＵＬ−ＣＣonlyの送信停止を決定した場合の端末１１および基地局１２の動作が追加されており、その他の処理および動作は同様である。なお、上述した処理および動作と同様の処理および動作には同一の符号を付して、その説明を省略する。
【００９７】
図１０は、図９におけるＵＬ−ＣＣonly対応の品質測定（Ｔ３０）の処理の流れを示すフローチャートである。図１０に示す処理は、図８に示す処理に比べて、ＵＬ−ＣＣonlyが存在する場合に（Ｓ２１にてＹＥＳ）、Ｌ１同期中の各ＤＬ−ＣＣを測定することにより、上記品質を取得する（Ｓ３２）点が異なり、その他の処理は同様である。
【００９８】
図９において、基地局１２Ａは、ステップＴ２１にて通知された品質に基づき、ＵＬ−ＣＣonly（ＵＬ−ＣＣ１１）の送信停止制御を決定した場合（Ｔ３２）、基地局１２Ａは、決定したＵＬ−ＣＣonlyの停止制御を、ＤＬ−ＣＣ２１を用いて端末１１に通知する（Ｔ３３）。通知された端末１１はＵＬ−ＣＣonlyの送信停止を行う（Ｔ３４）。これにより、ＵＬ−ＣＣonlyに対応するＤＬ−ＣＣ１１の監視（同期）を行う必要がなくなるため、該監視（同期）も合わせて停止する。
【００９９】
なお、該監視（同期）を直ちには停止せず、所定期間継続した後に停止してもよい。この場合、当該所定期間内に監視しているＤＬ−ＣＣ１１の品質が向上した場合には、再度ＵＬ−ＣＣonlyの送信を行うことが可能である。なお、送信再開時の初期電力値としては、接続を停止したときの電力値を利用してもよいし、あるいはＤＬ−ＣＣ１１の品質から無線伝搬路損失を算出しその結果に基づいて初期電力値を決定してもよい。また、図９および図１０では、ＵＬ−ＣＣセット内の全てのＵＬ−ＣＣを含めて記載しているが、ＵＬ−ＣＣonlyに特化した制御に変更してもよい。
【０１００】
また、ＵＬ−ＣＣonlyの停止については、ＵＬ−ＣＣonlyの品質が劣化したときだけでなく、送信制御等の各種制御の通信を行っているメインとなるＣＣが停止あるいは非活性化したときにも、ＵＬ−ＣＣonlyの停止を行う。メインとなるＣＣが存在しない場合でも、すべてのＣＣが停止あるいは非活性化したときに、ＵＬ−ＣＣonlyの停止を行う。
【０１０１】
従って、ＵＬ−ＣＣonlyに対応するＤＬ−ＣＣを常時同期しておくことにより、さらに精度よく、かつ動的にＵＬ−ＣＣonlyの送信制御を行うことが可能となる。また、ＤＬ−ＣＣセット内のＤＬ−ＣＣの品質測定としてリファレンス信号を利用する場合には、ＵＬ−ＣＣonlyに対応するＤＬ−ＣＣの品質測定も同様にリファレンス信号を利用するため、ＤＬ−ＣＣセットの品質測定とほぼ同等の処理が可能となる。
【０１０２】
図１１は、本実施形態におけるＵＬ−ＣＣonlyのハンドオーバ制御における端末１１および基地局１２Ａ・Ｂの動作の一例を示すシーケンス図である。図１１の例は、図１において端末１１が地点ａから地点ｂに移動する場合の例であり、図５および図６にて示すように、ＵＬの通信量が多い場合の例である。この場合、端末１１は、ＵＬ−ＣＣonlyを含んだＵＬ−ＣＣセットを利用した状態でパケット通信を行っている。
【０１０３】
図１１に示すように、まず、端末１１は、ＵＬ−ＣＣonly対応の品質測定を行う（Ｔ４０）。図１２は、ＵＬ−ＣＣonly対応の品質測定の処理の流れを示すフローチャートである。
【０１０４】
図１２に示すように、まず、端末１１は、現在通信中であるＤＬ−ＣＣセットの各ＤＬ−ＣＣの品質を取得する（Ｓ４０）。なお、該品質の測定は、既存の方法に従って行えばよい。次に、ＵＬ−ＣＣonlyが存在するかどうかを判定する（Ｓ４１）。存在しなければ、ステップＳ４３に進むが、本実施例では存在するので、各ＵＬ−ＣＣonlyに対応するＤＬ−ＣＣを測定することにより、上記品質を取得する（Ｓ４２）。次に、他のセル（基地局１２Ｂ）に関する各ＤＬ−ＣＣを測定し、その品質を取得する（Ｓ４３）。その後、上記処理を終了する。
【０１０５】
次に、図１１に示すように、端末１１は、取得したＤＬ−ＣＣセットの各ＤＬ−ＣＣ（ＤＬ−ＣＣ２１）の品質と、ＵＬ−ＣＣonlyに対応するＤＬ−ＣＣ（ＤＬ−ＣＣ１１）の品質と、他のセルに関するＤＬ−ＣＣの品質とを、ＵＬ−ＣＣ２１を用いて基地局１２Ａに通知する（Ｔ４１）。このとき、ＵＬ−ＣＣ１１の品質もＵＬ−ＣＣ２１を用いて通知している。
【０１０６】
次に、基地局１２Ａは、通知された品質に基づきハンドオーバ制御を決定する（Ｔ４２）。本実施例では、基地局１２ＢのＵＬ−ＣＣonly（ＵＬ−ＣＣ１１）に対応するＤＬ−ＣＣ（ＤＬ−ＣＣ１１）の品質レベルが、基地局１２ＡのＵＬ−ＣＣonly（ＵＬ−ＣＣ１１）に対応するＤＬ−ＣＣ（ＤＬ−ＣＣ１１）の品質レベルよりも十分に大きくなっている。基地局１２Ａは、このことを確認することにより、ＵＬ−ＣＣonly（ＵＬ−ＣＣ１１）に対して基地局１２Ａから基地局１２Ｂにハンドオーバ制御を行うことを決定する。
【０１０７】
その後、基地局１２Ａは、ＵＬ−ＣＣonlyを基地局１２Ａから基地局１２Ｂにハンドオーバするためのハンドオーバ・パラメータを、ＤＬ−ＣＣ２１を用いて端末１１に通知する（Ｔ４３）。同時に、基地局１２Ａは、基地局１２Ｂに対し、ＵＬ−ＣＣonly（ＵＬ−ＣＣ１１）が基地局１２Ａから基地局１２Ｂにハンドオーバされる旨を、コアネットワーク装置１４を用いて通知する（Ｔ４４）。一方、端末１１は、通知されたハンドオーバ・パラメータに従い、ＵＬ−ＣＣonly（ＵＬ−ＣＣ１１）のみの基地局１２Ａから基地局１２Ｂへのハンドオーバを実施する（Ｔ４５）。
【０１０８】
なお、上述したＵＬ−ＣＣonly対応の品質測定（図１１のＴ４０、図１２）について、端末１１は、周期的に行ってもよいし、基地局１２Ａからの指示に基づいて行ってもよい。基地局１２Ａからの指示に基づいて行う場合、図１１のステップＴ４０の前に、基地局１２からの品質測定要求のシーケンスが追加されることになる。また、この場合には、品質測定要求として測定すべきＵＬ−ＣＣonly対応のＤＬ−ＣＣの指定を含めることが可能であり、上述したように、端末１１が上記ＤＬ−ＣＣを受信できるためのパラメータも含めることが可能である。
【０１０９】
従って、ＵＬ−ＣＣonlyに対応する、ＵＬ−ＣＣonlyの無線伝搬品質により近いＤＬ−ＣＣの品質レベルに基づいてハンドオーバ制御を行うので、より精度の高いＵＬ−ＣＣonlyのハンドオーバ制御が可能となる。特に、ＵＬ−ＣＣonlyに対して特別なハンドオーバ制御を行うことないので、既存の制御により精度の高いハンドオーバ制御が可能となる。
【０１１０】
図１３は、ＵＬ−ＣＣonlyのハンドオーバ制御における端末１１および基地局１２Ａ・Ｂの動作の別の例を示すシーケンス図である。図１１に示す例では、ＵＬ−ＣＣonlyに対応するＤＬ−ＣＣを周期的に監視する、あるいは基地局１２の指示に基づいて監視することにより、ＵＬ−ＣＣonlyの品質を管理している。これに対し、図１３に示す例では、図９および図１０に示す例と同様に、ＵＬ−ＣＣonlyに対応するＤＬ−ＣＣについて、常時同期を行うことでＵＬ−ＣＣonlyの品質を管理している。
【０１１１】
図１３に示すＵＬ−ＣＣonlyのハンドオーバ制御は、図１１に示すＵＬ−ＣＣonlyのハンドオーバ制御に比べて、端末１１におけるＵＬ−ＣＣonly対応の品質測定の処理が異なり、その他の処理および動作は同様である。なお、上述した処理および動作と同様の処理および動作には同一の符号を付して、その説明を省略する。
【０１１２】
図１４は、図１３におけるＵＬ−ＣＣonly対応の品質測定（Ｔ５０）の処理の流れを示すフローチャートである。図１４に示す処理（Ｔ５０）は、図１２に示す処理（Ｔ４０）に比べて、ＵＬ−ＣＣonlyが存在する場合に（Ｓ４１にてＹＥＳ）、Ｌ１同期中の各ＤＬ−ＣＣを測定することにより、上記品質を取得する（Ｓ５２）点が異なり、その他の処理は同様である。
【０１１３】
従って、ＵＬ−ＣＣonlyに対応するＤＬ−ＣＣを常時同期しておくことにより、さらに精度よくハンドオーバ制御を行うことが可能となる。また、ＤＬ−ＣＣセット内のＤＬ−ＣＣの品質測定としてリファレンス信号を利用する場合には、ＵＬ−ＣＣonlyに対応するＤＬ−ＣＣの品質測定も同様にリファレンス信号を利用するため、ＤＬ−ＣＣセットの品質測定とほぼ同等の処理が可能となる。
【０１１４】
図１５は、ＵＬ−ＣＣonlyのハンドオーバ制御における端末１１および基地局１２Ａ・Ｂの動作の他の例を示すシーケンス図である。図１１〜図１４に示すハンドオーバ制御の例では、基地局１２が端末１１から周辺セルの各ＤＬ−ＣＣの品質レベルを取得して品質レベルを比較することによりハンドオーバを決定するシーケンスとなっている。これに対し、図１５の例では、端末１１が、端末１１自身で測定した品質レベルを比較することにより、他セルより品質レベルが劣化したＤＬ−ＣＣに対してのハンドオーバ・イベント（品質情報）を報告することで、基地局１２がハンドオーバの判定を行うシーケンスとなっている。
【０１１５】
図１５の例は、図５および図６にて示すように、ＵＬの通信量が多い場合の例である。この場合、端末１１は、ＵＬ−ＣＣonlyを含んだＵＬ−ＣＣセットを利用した状態でパケット通信を行っている。
【０１１６】
図１５に示すように、まず、基地局１２は、品質測定要求を、ＤＬ−ＣＣ２１を用いて端末１１に送信する（Ｔ６０）。端末１１は、上記品質測定要求に応じて、通信中のＤＬ−ＣＣ（ＤＬ−ＣＣ２１）と、ＵＬ−ＣＣonly（ＵＬ−ＣＣ１１）に対応するＤＬ−ＣＣ（ＤＬ−ＣＣ１１）と、他セルの各ＤＬ−ＣＣとの品質レベルを測定する（Ｔ６１）。なお、この品質レベルの測定は、図１２と同様の処理で行うことができる。
【０１１７】
次に、端末１１は、取得した自セル（基地局１２Ａ）の各ＤＬ−ＣＣ（ＤＬ−ＣＣ２１，ＤＬ−ＣＣ１１）と、他セル（基地局１２Ｂ）のＤＬ−ＣＣとの品質レベルをそれぞれ比較する（Ｔ６２）。このとき、自セルのＤＬ−ＣＣの品質レベルが他セルのＤＬ−ＣＣの品質レベルよりも劣化している場合、その旨をハンドオーバ・イベント（品質情報）として、ＵＬ−ＣＣ２１を用いて基地局１２に報告する（Ｔ６３）。図１５の例では、監視しているＤＬ−ＣＣ１１の品質レベルが他セルよりも劣化していると判断して、ＤＬ−ＣＣ１１（ＵＬ−ＣＣonly）に対するハンドオーバ・イベントを報告する。
【０１１８】
なお、品質レベルが劣化しているかどうかの判断は、或る程度のヒステリシスをもって、上記品質レベルを比較して行うことが望ましい。また、ハンドオーバ・イベントに関して、例えば、自セルの通信中のＤＬ−ＣＣ（ＤＬ−ＣＣ２１）が他セルのＤＬ−ＣＣ（ＤＬ−ＣＣ２１）よりも劣化している旨を示すものと、自セルのＵＬ−ＣＣonlyに対する監視用のＤＬ−ＣＣ（ＤＬ−ＣＣ１１）が他セルのＤＬ−ＣＣ（ＤＬ−ＣＣ１１）よりも劣化している旨を示すものとを、別々の種類とすることも可能である。
【０１１９】
次に、基地局１２は、端末１１から受信したハンドオーバ・イベントの内容とセルの通信トラフィック量とに基づきハンドオーバ制御を決定する（Ｔ６４）。本実施例では、基地局１２Ａは、ＵＬ−ＣＣonlyのハンドオーバ制御を決定し、ＵＬ−ＣＣonlyを基地局１２Ａから基地局１２Ｂにハンドオーバするためのハンドオーバ・パラメータを、ＤＬ−ＣＣ２１を用いて端末１１に通知する（Ｔ６５）。同時に、基地局１２Ａは、基地局１２Ｂに対し、ＵＬ−ＣＣonly（ＵＬ−ＣＣ１１）が基地局１２Ａから基地局１２Ｂにハンドオーバされる旨を、コアネットワーク装置１４を用いて通知する（Ｔ６６）。
【０１２０】
一方、端末１１は、通知されたハンドオーバ・パラメータに従い、ＵＬ−ＣＣonly（ＵＬ−ＣＣ１１）のみの基地局１２Ａから基地局１２Ｂへのハンドオーバを実施する（Ｔ６７）。なお、上述したＵＬ−ＣＣonly対応の品質測定（図１５のＴ６１）について、基地局１２から品質測定要求を受信することで行っているが、周期的に行ってもよい。
【０１２１】
従って、ハンドオーバを行う場合に、所望の各基地局１２のＤＬ−ＣＣセット内の各ＤＬ−ＣＣと、ＵＬ−ＣＣonlyに対応するＤＬ−ＣＣとの品質レベルを利用することで、精度のよいハンドオーバ制御が可能となる。
【０１２２】
図１６は、ＤＬ−ＣＣセット内の各ＤＬ−ＣＣの品質レベルと、ＵＬ−ＣＣonlyに対応するＤＬ−ＣＣの品質レベルとを利用して、ハンドオーバを行うかどうかを判定するための閾値を変更する処理の一例を示すフローチャートである。図１６の例は、基地局１２が品質レベルの判定を行う処理（図１１および図１３のＴ４２）の例である。
【０１２３】
図１６に示すように、まず、基地局１２Ａは、端末１１から受信した各ＤＬ−ＣＣの品質を取得し（Ｓ６０）、初期値を設定する（Ｓ６１）。取得した各ＤＬ−ＣＣの中にはＵＬ−ＣＣonlyに対応するＤＬ−ＣＣも含まれる。
【０１２４】
次に、基地局１２Ａは、取得した各ＤＬ−ＣＣの何れかに関して、当該ＤＬ−ＣＣの品質レベルが、ＵＬ−ＣＣonlyに対応するＤＬ−ＣＣの品質レベルではなく、かつ、当該ＤＬ−ＣＣの品質レベル＋閾値αよりも、他セルのＤＬ−ＣＣにおける最大の品質レベルの方が大きい場合、当該ＤＬ−ＣＣのハンドオーバ制御を決定する（Ｓ６２・Ｓ６３・Ｓ６５）。
【０１２５】
また、基地局１２Ａは、取得した各ＤＬ−ＣＣの何れかに関して、当該ＤＬ−ＣＣの品質レベルが、ＵＬ−ＣＣonlyに対応するＤＬ−ＣＣの品質レベルであり、かつ、当該ＤＬ−ＣＣの品質レベル＋閾値βよりも、他セルのＤＬ−ＣＣにおける最大の品質レベルの方が大きい場合、当該ＤＬ−ＣＣのハンドオーバ制御を決定する（Ｓ６２・Ｓ６４・Ｓ６５）。なお、本実施例では、閾値βは閾値αよりも大きい値である。そして、取得した全てのＤＬ−ＣＣに関して上記処理を実行し、その後、処理を終了する。
【０１２６】
これにより、例えばハンドオーバ制御が決定されたＤＬ−ＣＣと、ＤＬ−ＣＣに対応づけられているＵＬ−ＣＣとがハンドオーバすることになる。なお、ＵＬ−ＣＣonlyに対応するＤＬ−ＣＣのハンドオーバ制御が決定された場合、ＵＬ−ＣＣonlyのみハンドオーバすることになる。また、複数のＤＬ−ＣＣのハンドオーバ制御が決定される場合もあり、この場合には複数のハンドオーバが行われることになる。
【０１２７】
従って、ＵＬ−ＣＣonlyのハンドオーバについては、通常のハンドオーバの閾値αよりも大きな閾値βをとることにより、ＵＬ−ＣＣonlyに対応するＤＬ−ＣＣの品質測定精度がよくない場合、すなわちばらつきが大きい場合に誤ったハンドオーバ制御が行われることを抑制する。
【０１２８】
なお、上述した例では、ＤＬ−ＣＣの品質レベルがＵＬ−ＣＣonlyに対応するＤＬ−ＣＣの品質レベルであるかどうかで閾値を変更しているが、想定されるＤＬ−ＣＣの品質レベルの精度に応じて閾値を変更してもよい。例えば、ＤＬ−ＣＣセット内のＤＬ−ＣＣであっても、該ＤＬ−ＣＣが活性化していない場合には通信していない場合もあり、このようなＤＬ−ＣＣの品質レベルに対しては活性化しているＤＬ−ＣＣよりも閾値を大きくするなどが考えられる。
【０１２９】
ここで、活性化していないＤＬ−ＣＣとは、ＤＬ−ＣＣセット内のＤＬ−ＣＣであっても、端末１１の受信データとして割り当てられる可能性のないＤＬ−ＣＣである。このようなＤＬ−ＣＣは、通常、パワーセービングを行っている。反対に、活性化しているＤＬ−ＣＣとは、端末１１の受信データとして割り当てられる可能性のあるＤＬ−ＣＣであり、常に受信し続けているＤＬ−ＣＣである。
【０１３０】
また、上述した例では、基地局１２が品質レベルの判定を行っているが、端末１１が品質レベルの判定を行う場合（図１５）も同様に、ＵＬ−ＣＣonlyに対応するＤＬ−ＣＣと通信に使用しているＤＬ−ＣＣとで、品質レベルを判定するための閾値を異なる閾値にすることが可能である。
【０１３１】
図１７は、本実施形態の無線通信システム１０において、通信中にＵＬ−ＣＣonlyとなる場合を示す概要図である。図１７の（ａ）では、図１の場合と同様に、２つのＵＬ−ＣＣ（ＵＬ−ＣＣ２１・ＵＬ−ＣＣ２２）と１つのＤＬ−ＣＣ（ＤＬ−ＣＣ２１）とを利用して通信を行っている。なお、図１７の（ａ）では、帯域ＦＢ２のＣＣのみを利用して通信が行われているため、ＵＬ−ＣＣonlyは存在していない。
【０１３２】
ここで、基地局１２Ａにおいて、帯域ＦＢ２のＵＬの通信トラフィック量が多くなり、帯域ＦＢ１のＵＬの通信トラフィック量が少なくなった場合を考える。このとき、基地局１２Ａは、端末１１に対して帯域ＦＢ２で通信中である２つのＵＬ−ＣＣのうち１つを、帯域ＦＢ１のＵＬ−ＣＣ（ＵＬ−ＣＣ１１）を利用するようにスケジューリングしようと制御する。
【０１３３】
制御された端末１１は、図１７の（ｂ）に示すように、基地局１２Ａと通信中であるＵＬ−ＣＣの１つ（ＵＬ−ＣＣ２２）を帯域ＦＢ１のＵＬ−ＣＣ（ＵＬ−ＣＣ１１）にハンドオーバ（変更）する。この場合、帯域ＦＢ１のＵＬ−ＣＣがＵＬ−ＣＣonlyとなるため、上述したようにＵＬ−ＣＣonlyに対応するＤＬ−ＣＣの監視あるいは常時同期を行って品質を確保する。
【０１３４】
図１８は、図１７に示すような、通信中にＵＬ−ＣＣonlyに変更される場合の端末１１および基地局１２Ａの動作の一例を示すシーケンス図である。図１８に示すように、まず、帯域ＦＢ２のみで通信を行っている（Ｔ７０、図１７の（ａ））。その後、基地局１２Ａは、帯域ＦＢ２のＵＬの通信トラフィック量が増大したことを検出し（Ｔ７１）、端末１１に対して帯域ＦＢ１のＣＣも含めた品質測定要求を送信する（Ｔ７２）。
【０１３５】
端末１１は、受信した品質測定要求に応じて、ＵＬ−ＣＣonly対応の品質測定を行う（Ｔ７３）。この品質測定の処理は、図１２に示す品質測定の処理と同様である。ただし、本実施例では、他セルの各ＤＬ−ＣＣの測定を行うのではなく、基地局１２に指示されたＤＬ−ＣＣ（例えば帯域ＦＢ１のＤＬ−ＣＣ）の測定を行う。
【０１３６】
次に、端末１１は、測定したＤＬ−ＣＣの品質レベルを基地局１２Ａに通知する（Ｔ７４）。基地局１２Ａは、端末１１より通知された品質レベルに基づいて、ＣＣの変更制御（ハンドオーバ制御）を行うかどうかを決定する（Ｔ７５）。ここで、基地局１２Ａおよび端末１１間の帯域ＦＢ１の品質レベルが良好であるとすると、基地局１２Ａは、帯域ＦＢ２内のＵＬ−ＣＣの１つを帯域ＦＢ１のＵＬ−ＣＣ（ＵＬ−ＣＣonly）に変更制御（ハンドオーバ制御）するように決定する（Ｔ７５）。
【０１３７】
次に、基地局１２Ａは、ＣＣの変更制御（ハンドオーバ制御）を行うためのパラメータを端末１１に通知する（Ｔ７６）。このとき、ＵＬ−ＣＣがＵＬ−ＣＣonlyに変更となるため、ＵＬ−ＣＣonlyに対応するＤＬ−ＣＣの起動指示も必要に応じて行う。なお、上記起動指示には、監視指示、常時同期指示、品質測定指示などが含まれる。
【０１３８】
次に、端末１１は、通知されたパラメータに応じて、ＣＣの変更、すなわち基地局１２Ａの帯域ＦＢ２のＵＬ−ＣＣから、同じ基地局１２Ａの帯域ＦＢ１のＵＬ−ＣＣへの変更を実施する（Ｔ７７）。このとき、当該ＵＬ−ＣＣに対応するＤＬ−ＣＣの受信系を必要に応じて起動する。これにより、図１７の（ｂ）に示すような通信が行われる。その後、ＵＬ−ＣＣonlyに対応するＤＬ−ＣＣのＬ１同期が行われる（Ｔ７８）。
【０１３９】
従って、ＵＬの通信トラフィック量が増加しても、ＵＬ−ＣＣをＵＬ−ＣＣonlyに柔軟に変更でき、その後の送信制御を精度よく行うことが可能である。なお、上述した例では、基地局１２が同じで帯域のみ変更されることによりＵＬ−ＣＣonlyに変更される例を示しているが、帯域が同じで基地局１２のみ変更されることによりＵＬ−ＣＣonlyに変更される場合にも同様のことが言える。
【０１４０】
〔実施の形態２〕
次に、本発明の別の実施形態について、図１９〜図２６に基づいて説明すれば、以下の通りである。図１９は、本実施形態である無線通信システムの概要図である。
【０１４１】
図１に示す無線通信システム１０では、ＵＬ−ＣＣonly（ＵＬ−ＣＣ１１）に対応するＤＬ−ＣＣ（ＤＬ−ＣＣ１１）の品質を端末１１が監視し（図１の破線の矢印）、該品質を基地局１２に通知することにより、ＵＬ−ＣＣonlyの品質を管理している。これに対し、図１９に示す無線通信システム１０では、基地局１２がＵＬ−ＣＣonly（ＵＬ−ＣＣ１１）の品質を測定し管理している。このため、端末１１は、ＵＬ−ＣＣonlyに対応するＤＬ−ＣＣ（ＤＬ−ＣＣ１１）の品質を監視する必要がない。なお、上記実施形態で説明した構成および処理と同様の構成および処理には同一の符号を付して、その説明を省略する。
【０１４２】
本実施形態の無線通信システム１０は、図１に示す無線通信システム１０と構成上同様である。図２０は、本実施形態における端末１１の概略構成を示すブロック図であり、図２１は、本実施形態における基地局１２の概略構成を示すブロック図である。
【０１４３】
図２０に示すように、本実施形態の端末１１は、図３に示す端末１１に比べて、制御部２４に送信電力取得部（送信電力取得手段）２８が追加されている点が異なり、その他の構成は同様である。また、図２１に示すように、本実施形態の基地局１２は、図４に示す基地局１２に比べて、制御部３４に受信電力測定部（品質測定手段）３８が追加されている点と、通信制御部３７に代えて通信制御部（通信制御決定手段、品質測定手段）３９が設けられている点とが異なり、その他の構成は同様である。
【０１４４】
送信電力取得部２８は、ＵＬ−ＣＣonlyを利用したデータを送信部２２が送信するときの送信電力の情報を取得するものである。送信電力取得部２８は、取得した送信電力の情報を、送信部２２を介して基地局１２に送信する。なお、上記送信電力の情報は、送信部２２の送信電力を測定することにより取得してもよいし、通信制御部２７から送信部２２に指示される送信電力の情報から取得してもよい。
【０１４５】
受信電力測定部３８は、ＵＬ−ＣＣonlyを利用したデータを受信部３１が受信するときの受信電力を測定するものである。受信電力測定部３８は、測定した受信電力の情報を通信制御部３９に送信する。
【０１４６】
通信制御部３９は、図４に示す通信制御部３７の機能に下記の機能を追加したものである。すなわち、通信制御部３９は、端末１１からの上記送信電力の情報を、受信部３１を介して受信すると共に、受信電力測定部３８からの上記受信電力の情報を受信し、上記送信電力および上記受信電力から、ＵＬ−ＣＣonlyの品質レベルを求めるものである。通信制御部３９は、求めたＵＬ−ＣＣonlyの品質レベルに基づいて、ＵＬ−ＣＣonlyの送信制御を決定し、送信部３２を介して端末１１に通知する。
【０１４７】
上記構成の端末１１および基地局１２の動作について、図５〜図１８を参照して説明する。なお、ＣＡ接続における端末１１および基地局１２の動作は、図５に示す動作と同様である。
【０１４８】
図２２は、本実施形態の無線通信システム１０に関して、ＵＬ−ＣＣonlyの送信制御における端末１１および基地局１２Ａの動作の一例を示すシーケンス図である。図２２の例においても、上述の例と同様に、ＵＬ通信量が多い場合の例であり、端末１１は、ＵＬ−ＣＣonlyを含んだＵＬ−ＣＣセットを利用した状態でパケット通信を行っている。
【０１４９】
図２２に示すように、まず、端末１１は、ＵＬ−ＣＣonly対応の品質測定（端末側）を行う（Ｔ８０）。図２３は、ＵＬ−ＣＣonly対応の品質測定（端末側）の処理の流れを示すフローチャートである。
【０１５０】
図２３に示すように、まず、端末１１は、現在通信中であるＤＬ−ＣＣセットの各ＤＬ−ＣＣの品質を取得する（Ｓ２０）。なお、本実施例では、該品質として、各ＤＬ−ＣＣの無線伝搬損失値（パスロス値）を計算して取得している。上記品質の測定は、既存の方法に従って行えばよい。
【０１５１】
次に、ＵＬ−ＣＣonlyが存在するかどうかを判定する（Ｓ２１）。存在しなければ、上記処理を終了するが、本実施例では存在するので、各ＵＬ−ＣＣonlyの送信電力値を取得する（Ｓ８０）。この送信電力値は、基地局１２ＡがＵＬ−ＣＣonlyのパスロス値を算出するために使用する値である。その後、上記処理を終了する。
【０１５２】
次に、図２２に示すように、端末１１は、取得したＤＬ−ＣＣセットの各ＤＬ−ＣＣ（ＤＬ−ＣＣ２１）の品質と、ＵＬ−ＣＣonly（ＵＬ−ＣＣ１１）の送信電力値とを、ＵＬ−ＣＣ２１を用いて基地局１２Ａに通知する（Ｔ８１）。基地局１２Ａは、通知されたＵＬ−ＣＣonly（ＵＬ−ＣＣ１１）の送信電力値に基づいてＵＬ−ＣＣonlyの品質測定（基地局側）を行う（Ｔ８２）。図２４は、ＵＬ−ＣＣonly対応の品質測定（基地局側）の処理の流れを示すフローチャートである。
【０１５３】
図２４に示すように、まず、基地局１２Ａは、ＵＬ−ＣＣonlyが存在するかどうかを判定する（Ｓ８１）。存在しなければ、特に処理の必要がないため上記処理を終了するが、本実施例では存在するので、各ＵＬ−ＣＣonlyの受信電力値を測定する（Ｓ８２）。次に、測定した受信電力値と、端末１１から受信した送信電力値とにより、ＵＬ−ＣＣonlyの品質を算出する（Ｓ８３）。本実施例では、ＵＬ−ＣＣonlyの無線伝搬損失値（パスロス値）を算出し、これを品質レベルとしている。その後、上記処理を終了する。
【０１５４】
以後、図７と同様の動作を行う。すなわち、図２２に示すように、基地局１２Ａは、取得した各品質レベルに基づきＵＬ−ＣＣの送信制御を決定する（Ｔ２２）。その後、基地局１２Ａは、決定したＵＬ−ＣＣの送信制御を、ＤＬ−ＣＣ２１を用いて端末１１に通知する（Ｔ２３）。端末１１は、通知されたＵＬ−ＣＣの送信制御を実施する（Ｔ２４）。
【０１５５】
なお、上述したＵＬ−ＣＣonly対応の品質測定（端末側）（図２２のＴ８０、図２３）について、端末１１は、周期的に行ってもよいし、基地局１２Ａからの指示に基づいて行ってもよい。基地局１２Ａからの指示に基づいて行う場合、図２２のステップＴ８０の前に、基地局１２Ａからの品質測定要求のシーケンスが追加されることになる。また、この場合には、品質測定要求として、端末１１が通知すべきＵＬ−ＣＣonlyの送信電力値の指定を含めることが可能である。
【０１５６】
また、図２２〜図２４では、ＵＬ−ＣＣセット内の全てのＵＬ−ＣＣを含めて記載しているが、ＵＬ−ＣＣonlyに特化した制御に変更してもよい。また、本実施例では、ＵＬ−ＣＣonlyの品質測定のみを基地局１２Ａが行っているが、ＵＬ−ＣＣonlyに限らず、全てのＵＬ−ＣＣについても、端末１１が基地局１２Ａに各送信電力値を通知することで、基地局１２が品質測定を行うことが可能である。
【０１５７】
従って、ＵＬ−ＣＣonlyの無線伝搬損失に基づいた品質レベルに基づいて送信制御を行うので、より精度の高いＵＬ−ＣＣonlyの送信制御が可能となる。
【０１５８】
図２５は、本実施形態におけるＵＬ−ＣＣonlyのハンドオーバ制御における端末１１および基地局１２Ａ・Ｂの動作の一例を示すシーケンス図である。図２５の例は、図１９において端末１１が地点ａから地点ｂに移動する場合の例であり、図５および図６にて示すように、ＵＬの通信量が多い場合の例である。この場合、端末１１は、ＵＬ−ＣＣonlyを含んだＵＬ−ＣＣセットを利用した状態でパケット通信を行っている。
【０１５９】
図２５に示すように、まず、端末１１は、ＵＬ−ＣＣonly対応の品質測定（端末側）を行う（Ｔ９０）。図２６は、ＵＬ−ＣＣonly対応の品質測定（端末側）の処理の流れを示すフローチャートである。
【０１６０】
図２６に示すように、まず、端末１１は、現在通信中であるＤＬ−ＣＣセットの各ＤＬ−ＣＣの品質を取得する（Ｓ４０）。なお、本実施例では、該品質として、各ＤＬ−ＣＣの無線伝搬損失値（パスロス値）を計算して取得している。上記品質の測定は、既存の方法に従って行えばよい。
【０１６１】
次に、ＵＬ−ＣＣonlyが存在するかどうかを判定する（Ｓ４１）。存在しなければ、ステップＳ４３に進むが、本実施例では存在するので、各ＵＬ−ＣＣonlyの送信電力値を取得する（Ｓ９０）。この送信電力値は、基地局１２ＡがＵＬ−ＣＣonlyのパスロス値を算出するために使用する値である。次に、他のセル（基地局１２Ｂ）に関する各ＤＬ−ＣＣを測定し、その品質を取得する（Ｓ４３）。その後、上記処理を終了する。
【０１６２】
次に、図２５に示すように、端末１１は、取得したＤＬ−ＣＣセットの各ＤＬ−ＣＣ（ＤＬ−ＣＣ２１）の品質と、ＵＬ−ＣＣonly（ＵＬ−ＣＣ１１）の送信電力値とを、ＵＬ−ＣＣ２１を用いて基地局１２Ａに通知する（Ｔ９１）。基地局１２Ａは、通知されたＵＬ−ＣＣonly（ＵＬ−ＣＣ１１）の送信電力値に基づいてＵＬ−ＣＣonlyの品質測定（基地局側）を行う（Ｔ９２）。なお、上記ＵＬ−ＣＣonly対応の品質測定（基地局側）の処理は、図２４に示す処理と同様であるので、その説明を省略する。
【０１６３】
以後、図１１と同様の動作を行う。すなわち、図２５に示すように、基地局１２Ａは、通知された品質に基づきハンドオーバ制御を決定する（Ｔ４２）。ハンドオーバ制御を行う場合には、基地局１２Ａは、上述のハンドオーバ・パラメータを、ＤＬ−ＣＣ２１を用いて端末１１に通知する（Ｔ４３）。同時に、基地局１２Ａは、基地局１２Ｂに対し、ＵＬ−ＣＣonly（ＵＬ−ＣＣ１１）が基地局１２Ａから基地局１２Ｂにハンドオーバされる旨を通知する（Ｔ４４）。一方、端末１１は、通知されたハンドオーバ・パラメータに従い、ＵＬ−ＣＣonly（ＵＬ−ＣＣ１１）のみの基地局１２Ａから基地局１２Ｂへのハンドオーバを実施する（Ｔ４５）。
【０１６４】
なお、上述したＵＬ−ＣＣonly対応の品質測定（端末側）（図２５のＴ９０、図２６）について、端末１１は、周期的に行ってもよいし、基地局１２Ａからの指示に基づいて行ってもよい。基地局１２Ａからの指示に基づいて行う場合、図２５のステップＴ９０の前に、基地局１２からの品質測定要求のシーケンスが追加されることになる。また、この場合には、品質測定要求として、端末１１が通知すべきＵＬ−ＣＣonlyの送信電力値の指定を含めることが可能である。また、図２５および図２６では、ＵＬ−ＣＣセット内の全てのＵＬ−ＣＣを含めて記載しているが、ＵＬ−ＣＣonlyに特化した制御に変更してもよい。
【０１６５】
従って、ＵＬ−ＣＣonlyの無線伝搬損失に基づいた品質レベルに基づいてハンドオーバ制御を行うので、より精度の高いＵＬ−ＣＣonlyのハンドオーバ制御が可能となる。
【０１６６】
以上のように、本実施形態は、図１〜図１２に示す実施形態に比べて、ＵＬ−ＣＣonlyの品質レベルを測定する方法が異なるのみであり、上記品質レベルに基づいて行われる送信制御およびハンドオーバ制御は同様である。従って、図１７および図１８に示すような、通信中にＵＬ−ＣＣonlyとなる場合においても、ＵＬ−ＣＣonlyの品質レベルを測定する方法を本実施形態の方法に変更することができる。
【０１６７】
なお、本実施形態では、ＵＬ−ＣＣonlyの無線伝搬損失に基づいた品質レベルによりＵＬ−ＣＣonlyの各種の制御を行っている。この場合、上記無線伝搬損失を測定するために、端末１１が送信電力値の通知を基地局１２に行っている。
【０１６８】
これに対し、以下では、端末１１が上記送信電力値の通知を行わない場合についての上記制御について説明する。すなわち、本実施例では、基地局１２は、端末１１における送信電力値が不明であるために上記無線伝搬損失を測定できず、基地局１２が受信する絶対電力値で制御を行うことになる。
【０１６９】
ＵＬ−ＣＣonlyに対して絶対電力値のみで品質レベルを監視している場合には、端末１１が基地局１２に近い位置にいるのか遠い位置にいるのかの判別が困難となる。理由は次の通りである。
【０１７０】
すなわち、通常、基地局１２は、ＵＬ−ＣＣの受信レベル（絶対電力値）が或る一定レベルとなるように送信制御を行う。具体的には、基地局１２は、ＵＬ−ＣＣの受信レベル（絶対電力値）が大きくなると、端末１１に対して送信レベルを小さくするように制御する一方、受信レベルが小さくなると、端末１１に対して送信レベルを大きくするように制御する。この制御は、周期的に行われるか、若しくは、基地局１２からの送信制御要求に対して行われる。このため、端末１１が基地局１２から遠ざかっていったとしても、上述したような送信制御を行うことで、ほぼ一定の受信レベル（絶対電力値）となるため、端末１１が基地局１２から離れているという判断が困難となる。
【０１７１】
このため、基地局１２が突然にＵＬ−ＣＣonlyを受信できなくなったり、また端末１１が基地局１２から遠ざかってしまい、基地局１２にＵＬ−ＣＣonlyが届かないにもかかわらずに端末１１が不必要にＵＬ−ＣＣonlyの電波を出し続けてしまったりするような現象が生じると考えられる。これに対し、以下の例では、このような現象が起こらないような制御について説明する。
【０１７２】
上述したように、端末１１が基地局１２から遠ざかって行った場合には、基地局１２が端末１１に対して送信レベルを上げるように要求する。しかしながら、端末１１が既に最大電力を出している場合、当該基地局１２からの要求にも関わらずに送信電力を上げることができない。このため、基地局１２は、送信レベルを上げるように端末１１に要求しているにも関わらずに受信レベル（絶対電力値）が上がらないことの検知を行うことができる。
【０１７３】
そこで、基地局１２は、上記検知を行ったとき、端末１１が基地局１２から離れたと判断し、ＵＬ−ＣＣonlyのハンドオーバの実施、あるいは送信停止を行う。ハンドオーバを実施する場合、基地局１２が上記検知を行うと、直ちに周辺の基地局１２は、端末１１からのＵＬ−ＣＣonlyの受信を試みて品質レベル（絶対電力値）を測定し、その品質レベルが良好である基地局１２にハンドオーバを行う。もし品質レベルの良好な基地局１２がない場合、あるいは周辺にＵＬ−ＣＣonlyを受信できる基地局１２自体がない場合（例えばＵＬ−ＣＣonlyで使用している帯域が対応した基地局１２がない場合など）、直ちにＵＬ−ＣＣonlyの送信停止を行う。
【０１７４】
なお、上記制御は、上記検知が行われると直ちにハンドオーバ制御を行う必要があり、タイミング的にハンドオーバが困難な場合も考えられる。この場合、基地局１２は、上記検知を行った場合には必ずＵＬ−ＣＣonlyの送信を停止する制御を行ってもよい。
【０１７５】
また、端末１１が他セルの品質レベルの測定結果を基地局１２に報告すること等により、基地局１２が停止したＵＬ−ＣＣonlyを再度利用可能、あるいは別のＵＬ−ＣＣonlyを利用可能と判断した場合、端末１１は、ＵＬ−ＣＣonlyの接続を試みてもよい。この場合の初期送信電力値としては、送信停止直前の電力値、あるいは該電力値よりも所定値だけ小さい電力値を利用すればよい。あるいは基地局１２により指示された電力値で送信してもよい。
【０１７６】
以上のような制御を行うことで、上述の現象を防止することが可能となる。なお、上述のような、ＵＬ−ＣＣonlyの送信停止および再接続の制御については、図１〜図１８に示すように、ＵＬ−ＣＣonlyに対応するＤＬ−ＣＣの品質レベルを利用して同様の制御を行うことは可能である。
【０１７７】
〔実施の形態３〕
次に、本発明の他の実施形態について、図２７〜図２９に基づいて説明すれば、以下の通りである。図２７は、本実施形態である無線通信システムの概要図である。
【０１７８】
上記実施形態では、ＵＬ−ＣＣonlyが存在しその品質を管理することで、ＵＬ−ＣＣonlyの送信制御等を行っている。これに対し、本実施形態では、ＵＬ−ＣＣonlyが存在しないような制御を行っている。例えば、ＵＬ−ＣＣonlyを追加したい場合には必ず当該ＵＬ−ＣＣに対応するＤＬ−ＣＣも合わせて追加するような制御を行う。なお、上記実施形態で説明した構成および処理と同様の構成および処理には同一の符号を付して、その説明を省略する。
【０１７９】
図２７は、図１７の（ａ）に示す状態から、帯域ＦＢ２で通信中である２つのＵＬ−ＣＣのうち１つを帯域ＦＢ１のＵＬ−ＣＣに変更した状態を示している。図１７の（ｂ）に示す例では、変更したＵＬ−ＣＣがＵＬ−ＣＣonlyになるため、該ＵＬ−ＣＣに対応するＤＬ−ＣＣを監視するように制御している。これに対し、本実施例では、変更したＵＬ−ＣＣに対して該ＵＬ−ＣＣに対応するＤＬ−ＣＣもＤＬ−ＣＣセットに追加するような制御を行っている。なお、本実施形態の無線通信システム１０は、図１および図２に示す無線通信システム１０と構成上同様であり、端末１１および基地局１２は、図３および図４に示す端末１１および基地局１２と構成上同様である。
【０１８０】
図２８は、ＣＡセット決定の処理の一例を示すフローチャートである。この処理は、図５に示すＣＡ接続におけるステップＴ１７に対応する。
【０１８１】
図２８に示すように、まず、基地局１２は、端末１１より通知された各基地局１２の各ＤＬ−ＣＣの品質レベルを取得する（Ｓ１００）。次に、要求された通信量や基地局１２の通信トラフィック量等に基づき、ＤＬ−ＣＣセット数ＮｄおよびＵＬ−ＣＣセット数Ｎｕを決定する（Ｓ１０１）。次に、品質レベルの大きいＤＬ−ＣＣから順にＮｄ個のＤＬ−ＣＣを選択する（Ｓ１０２）。このとき、選択されたＤＬ−ＣＣの品質レベルが劣悪であれば、該ＤＬ−ＣＣをＤＬ−ＣＣセットから外すような制御を追加してもよい。この場合、ＤＬ−ＣＣセットはＮｄよりも小さくなる。
【０１８２】
次に、基地局１２は、品質レベルの大きいＤＬ−ＣＣに対応するＵＬ−ＣＣから順にＮｕ個のＵＬ−ＣＣを選択する（Ｓ１０３）。これにより、ＵＬ−ＣＣセットが決定される。なお、ステップＳ１０３において、選択されたＤＬ−ＣＣの品質レベルが劣悪であれば、ＤＬ−ＣＣセットのときと同様に、該ＵＬ−ＣＣをＵＬ−ＣＣセットから外すような制御を追加してもよい。その場合、ＵＬ−ＣＣセットはＮｕよりも小さくなる。
【０１８３】
次に、基地局１２は、選択されたＵＬ−ＣＣに対応するＤＬ−ＣＣが選択されていないＵＬ−ＣＣが存在するかどうかを判定する（Ｓ１０４）。基本的には、Ｎｕ＞Ｎｄの場合には、該当するＵＬ−ＣＣが存在することになる。なお、ここでは、ＵＬ−ＣＣに対応するＤＬ−ＣＣが、同じ帯域でないものや同じセルでないものは、対応していないものとしている。ステップＳ１０４にて、該当するＵＬ−ＣＣが存在しない場合（基本的にはＮｕ≦Ｎｄの場合）、現在選択されている複数のＤＬ−ＣＣが、ＤＬ−ＣＣセットとして決定され、上記処理を終了する。
【０１８４】
一方、該当するＵＬ−ＣＣが存在する場合（基本的にはＮｕ＞Ｎｄの場合）、該当するＵＬ−ＣＣに対応するＤＬ−ＣＣが、現在選択されている複数のＤＬ−ＣＣと同じセルおよび帯域のＣＣであるかどうかを判定する（Ｓ１０５）。すなわち、該当するＵＬ−ＣＣがＵＬ−ＣＣonlyであるかどうかを判定する。同じセルおよび帯域のＣＣである場合、現在選択されている複数のＤＬ−ＣＣが、ＤＬ−ＣＣセットとして決定され、上記処理を終了する。一方、同じセルおよび帯域のＣＣではない場合、各ＵＬ−ＣＣに対応する、同じセルおよび帯域のＤＬ−ＣＣも選択して、ＤＬ−ＣＣセットが決定される（Ｓ１０６）。その後、上記処理を終了する。
【０１８５】
従って、ＵＬ−ＣＣonlyが存在しないようなＣＡセットが決定される。これにより、ＵＬ−ＣＣonlyのための特別な送信制御は必要なく、従来通りの送信制御に置き換えることが可能である。また、基地局１２は、割当済のＵＬ−ＣＣの通信品質を精度よく評価することができ、通信端末１１は、前記ＵＬ−ＣＣでのアップリンク伝送を精度よく制御することができる。
【０１８６】
なお、図２８の例では、ＵＬ−ＣＣonlyが選択されてしまった場合には、該ＵＬ−ＣＣonlyを制御するためのＤＬ−ＣＣが追加されるため、要求された通信量や基地局１２の通信トラフィック量等に基づき決定されたＤＬ−ＣＣセット数Ｎｄよりも多くなる。すなわち、通信用だけでなく通信品質測定用も考慮に入れて余分にＤＬ−ＣＣを追加する制御を行うことになる。また、上記通信品質測定用のＤＬ−ＣＣであっても、通常通りにデータを送信してもよいことは言うまでもない。
【０１８７】
また、図２８の例では、品質レベルからＤＬ−ＣＣセット数およびＵＬ−ＣＣセット数を先に決定してから、ＵＬ−ＣＣonlyがあればそれに対応するＤＬ−ＣＣを追加する制御を行っている。これに対し、品質レベルの取得と、ＵＬ−ＣＣonlyになるかどうかの判断とを同時に行い、柔軟にＤＬ−ＣＣセットおよびＵＬ−ＣＣセットを決定することも可能である。すなわち、ＤＬ−ＣＣセット数を最小限にしつつ、ＵＬ−ＣＣonlyが存在しないような制御を行うことも可能である。
【０１８８】
また、図２８の例では、品質レベルの大きいＤＬ−ＣＣから順に選択しているが、無線リソースに余裕のあるＤＬ−ＣＣ（あるいはＵＬ−ＣＣ）から順に選択することも可能である。あるいは、品質レベルの取得と、無線リソースに余裕があるかどうかの判断とを同時に行って最適なものから順に選択することも可能である。
【０１８９】
以上の説明は、ＣＡセット決定の処理についてのものであるが、上述のように、ハンドオーバ制御においても、ＵＬ−ＣＣonlyが発生する可能性がある。この場合も、同様に、該ＵＬ−ＣＣonlyに対応するＤＬ−ＣＣをＤＬ−ＣＣセットに含める制御を行えばよい。
【０１９０】
図２９は、ＣＡセット決定の処理の他の例を示すフローチャートである。図２９の例は、図２８の例に比べて、ステップＳ１０４以降の処理が異なり、その他の処理は同様である。
【０１９１】
ステップＳ１０４にて、該当するＵＬ−ＣＣが存在しない場合（基本的にはＮｕ≦Ｎｄの場合）、現在選択されている複数のＤＬ−ＣＣが、ＤＬ−ＣＣセットとして決定され、上記処理を終了する。一方、該当するＵＬ−ＣＣが存在する場合（基本的にはＮｕ＞Ｎｄの場合）、該当するＵＬ−ＣＣに対応するＤＬ−ＣＣも選択して、ＤＬ−ＣＣセットが決定される（Ｓ１１０）。その後、上記処理を終了する。
【０１９２】
図２８の例では、ＵＬ−ＣＣonlyが選択された場合には必ず該ＵＬ−ＣＣonlyに対応するＤＬ−ＣＣをＤＬ−ＣＣセットに含める制御を行っている。これに対し、図２９の例では、ＵＬ−ＣＣonlyだけでなく全てのＵＬ−ＣＣに対して、それぞれに対応するＤＬ−ＣＣをＤＬ−ＣＣセットに含める制御を行っている。この場合、ＤＬ−ＣＣセット数は必ずＵＬ−ＣＣセット数以上となる。このような制御を行うことで、それぞれのＵＬ−ＣＣの送信制御を行うためのＤＬ−ＣＣが明確になり、制御が容易となる。また、従来通りの送信制御に置き換えることも可能となる。
【０１９３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１９４】
例えば、上記実施形態では、不連続な帯域ＦＢ１・ＦＢ２を利用しているが、連続な帯域であってもよいし、一部が重なるような帯域であってもよい。また、上記実施形態では、２つの帯域ＦＢ１・ＦＢ２を利用しているが、３つ以上の帯域を利用してもよい。この場合でも、何れかの帯域におけるＵＬ−ＣＣは、同じ帯域におけるＤＬ−ＣＣの方が、別の帯域におけるＤＬ−ＣＣよりも周波数が近い可能性が高いので、本発明を適用することにより、上述の効果を奏することができる。
【０１９５】
なお、本発明は次のように表現することもできる。
【０１９６】
また、前記基地局は、前記通信端末が測定した前記ダウンリンク用小帯域の通信品質の値の大きい順に、該ダウンリンク用小帯域に対応する前記アップリンク用小帯域を前記通信端末に割り当ててもよい。この場合、前記割当済のアップリンク用小帯域でのアップリンク伝送が良好に行われる可能性が高くなる。なお、前記アップリンク用小帯域の割当ては、リソースに余裕のある周波数帯域から割り当ててもよい。
【０１９７】
本発明に係る無線通信システムでは、前記通信端末の品質測定手段が測定する前記監視用のダウンリンク用小帯域は、前記基地局の帯域割当手段が決定してもよい。この場合、前記通信端末の品質測定手段が、割当済のダウンリンク用小帯域の通信品質に加えて、監視用のダウンリンク用小帯域の通信品質を測定すればよく、前記基地局および前記通信端末が、前記オンリー状態のアップリンク用小帯域のための特別な手段を設ける必要が無い。なお、前記通信端末が、前記監視用のダウンリンク用小帯域を決定してもよい。
【０１９８】
ところで、前記監視用のダウンリンク用小帯域は、前記割当済のダウンリンク用小帯域に含まれていないため、前記基地局から前記通信端末へのダウンリンク伝送には利用されていない。従って、前記通信端末の品質測定手段は、前記監視用のダウンリンク用小帯域の通信品質を測定するのに時間がかかる虞がある。
【０１９９】
そこで、本発明に係る無線通信システムでは、前記通信端末の通信制御手段は、前記監視用のダウンリンク用小帯域の物理レイヤーでの同期を維持してもよい。この場合、前記通信端末の品質測定手段は、前記監視用のダウンリンク用小帯域の通信品質を迅速に測定でき、その結果、該通信品質に基づく前記オンリー状態のアップリンク用小帯域の通信制御を動的に行うことができる。
【０２００】
本発明に係る無線通信システムでは、前記通信端末の品質測定手段は、さらに、前記基地局とは別の基地局によるダウンリンク用小帯域の通信品質を測定しており、前記基地局の通信制御決定手段は、前記通信端末の品質測定手段が測定した、前記基地局および前記別の基地局によるダウンリンク用小帯域の通信品質どうしの比較に基づいて、前記ダウンリンク用小帯域に対応する前記アップリンク用小帯域のハンドオーバを行うかを決定してもよい。この場合、前記オンリー状態のアップリンク用小帯域が存在しても、特別なハンドオーバ制御が不要である。
【０２０１】
なお、前記比較は、前記通信端末の品質測定手段が行ってもよいし、前記基地局の通信制御決定手段が行ってもよい。前記通信端末の品質測定手段が行う場合、前記比較の結果を前記基地局に通知することになる。このとき、前記比較の結果を、前記割当済のダウンリンク用小帯域に関するものと、前記監視用のダウンリンク用小帯域に関するものとに区別して前記基地局に通知してもよい。
【０２０２】
ところで、前記基地局によるダウンリンク用小帯域の通信品質と、前記別の基地局によるダウンリンク用小帯域の通信品質とがほぼ等しい場合、前記通信品質の測定のバラツキから、一方の通信品質が良好となったり他方の通信品質が良好となったりすることが頻繁に発生する虞がある。この場合、ハンドオーバが頻繁に発生することになる。
【０２０３】
そこで、本発明に係る無線通信システムでは、
前記比較は、前記基地局によるダウンリンク用小帯域の通信品質の値に所定の閾値を加算したものと、前記別の基地局によるダウンリンク用小帯域の通信品質の値とを比較するものでもよい。前記閾値を利用することにより、前記通信品質の測定のバラツキによりハンドオーバが頻繁に発生することを防止できる。
【０２０４】
さらに、前記所定の閾値は、前記割当済のダウンリンク用小帯域に関するものと、前記監視用のダウンリンク用小帯域に関するものとが異なっていてもよい。この場合、前記監視用のダウンリンク用小帯域の通信品質における測定のバラツキと、前記割当済のダウンリンク用小帯域の通信品質における測定のバラツキとが異なっても、それぞれの前記閾値を異ならせることにより対応することができる。
【０２０５】
本発明に係る無線通信システムでは、前記通信端末の品質測定手段は、さらに、前記基地局とは別の基地局によるダウンリンク用小帯域の通信品質を測定しており、前記基地局の通信制御決定手段は、前記品質測定手段が求めたオンリー状態のアップリンク用小帯域の通信品質と、前記通信端末の品質測定手段が測定した、前記別の基地局によるダウンリンク用小帯域の通信品質との比較に基づいて、当該オンリー状態のアップリンク用小帯域のハンドオーバを行うかを決定してもよい。
【０２０６】
この場合、直接求められた前記オンリー状態のアップリンク用小帯域の通信品質を利用してハンドオーバ制御を決定するので、該ハンドオーバ制御を精度よく行うことができる。
【０２０７】
本発明に係る無線通信システムでは、前記通信端末は、前記アップリンク用小帯域の送信電力を取得する送信電力取得手段をさらに備えており、前記基地局の品質測定手段は、前記オンリー状態のアップリンク用小帯域に関して、測定した受信電力と、前記通信端末の送信電力取得手段が取得した送信電力とにより、前記通信品質を求めることが好ましい。
【０２０８】
この場合、前記オンリー状態のアップリンク用小帯域に関して、受信電力だけでなく、送信電力をも利用して通信品質を求めているので、該通信品質を精度よく求めることができ、前記オンリー状態のアップリンク用小帯域の通信制御をさらに精度よく行うことができる。なお、前記通信端末の送信電力取得手段は、前記オンリー状態のアップリンク用小帯域における送信電力を、測定により取得してもよいし、前記通信端末内の通信ユニットへの送信電力の指示から取得してもよい。
【０２０９】
なお、上記構成の無線通信システムにて利用される基地局であれば、上述と同様の効果を奏することができる。また、上記構成の無線通信システムにて利用される通信端末であれば、上述と同様の効果を奏することができる。
【０２１０】
なお、上記無線通信システムにおける各手段を、制御プログラムによりコンピュータに実行させることができる。さらに、上記制御プログラムをコンピュータ読取り可能な記録媒体に記憶させることにより、任意のコンピュータ上で当該制御プログラムを実行させることができる。
【０２１１】
最後に、無線通信システム１０の各ブロック、特に、制御部（通信制御手段・品質測定手段・送信電力取得手段）２４および制御部（帯域割当手段・通信制御決定手段・品質測定手段）３４は、ハードウェアロジックによって構成してもよいし、次のようにＣＰＵを用いてソフトウェアによって実現してもよい。
【０２１２】
すなわち、無線通信システム１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである無線通信システム１０の制御プログラムのプログラムコード（実行形式プログラム、中間コードプログラム、ソースプログラム）をコンピュータで読み取り可能に記録した記録媒体を、上記無線通信システム１０に供給し、そのコンピュータ（またはＣＰＵやＭＰＵ）が記録媒体に記録されているプログラムコードを読み出し実行することによっても、達成可能である。
【０２１３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２１４】
また、無線通信システム１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２１５】
本発明によると、オンリー状態のアップリンク用小帯域が発生しないようにアップリンク用小帯域およびダウンリンク用小帯域を割り当てたり、前記オンリー状態のアップリンク用小帯域の通信品質を精度よく求めたりすることにより、当該オンリー状態のアップリンク用小帯域の通信制御を精度よく行うことができるので、基地局がアップリンク用小帯域およびダウンリンク用小帯域を通信端末に割り当てる任意の無線通信システムに適用することができる。
【符号の説明】
【０２１６】
１０  無線通信システム
１１  端末（通信端末）
１２  基地局
１３  セル
１４  コアネットワーク装置
２０  受信アンテナ
２１  受信部（通信部）
２２  送信部（通信部）
２３  送信アンテナ
２４  制御部
２５  パケット通信要求部
２６  品質測定部（品質測定手段）
２７  通信制御部（通信制御手段）
２８  送信電力取得部（送信電力取得手段）
３０  受信アンテナ
３１  受信部（通信部）
３２  送信部（通信部）
３３  送信アンテナ
３４  制御部
３５  ＣＡ候補決定部
３６  ＣＡセット決定部（帯域割当手段）
３７  通信制御部（通信制御決定手段）
３８  受信電力測定部（品質測定手段）
３９  通信制御部（通信制御決定手段、品質測定手段）
ＦＢ１・ＦＢ２  周波数帯域
【図１】
2012074113.tif 000003
【図２】
2012074113.tif 000004
【図３】
2012074113.tif 000005
【図４】
2012074113.tif 000006
【図５】
2012074113.tif 000007
【図６】
2012074113.tif 000008
【図７】
2012074113.tif 000009
【図８】
2012074113.tif 000010
【図９】
2012074113.tif 000011
【図１０】
2012074113.tif 000012
【図１１】
2012074113.tif 000013
【図１２】
2012074113.tif 000014
【図１３】
2012074113.tif 000015
【図１４】
2012074113.tif 000016
【図１５】
2012074113.tif 000017
【図１６】
2012074113.tif 000018
【図１７】
2012074113.tif 000019
【図１８】
2012074113.tif 000020
【図１９】
2012074113.tif 000021
【図２０】
2012074113.tif 000022
【図２１】
2012074113.tif 000023
【図２２】
2012074113.tif 000024
【図２３】
2012074113.tif 000025
【図２４】
2012074113.tif 000026
【図２５】
2012074113.tif 000027
【図２６】
2012074113.tif 000028
【図２７】
2012074113.tif 000029
【図２８】
2012074113.tif 000030
【図２９】
2012074113.tif 000031
【国際調査報告】
2012074113.tif 000032
2012074113.tif 000033
2012074113.tif 000034